(57)【特許請求の範囲】
【請求項１】
第１のデータレートで動作する受信機をトレーニングするための第１のトレーニングフィールドを含む第１のプリアンブルを生成する第１のプリアンブル生成モジュールと、
第２のデータレートで動作する受信機をトレーニングするための第２のトレーニングフィールドを含む第２のプリアンブルを生成する第２のプリアンブル生成モジュールと、
パケットを生成するパケット生成モジュールと
を備え、
前記第２のデータレートは前記第１のデータレートとは異なり、
前記パケットでは、
前記パケットが前記第１のデータレートで送信されることに応じて、前記第２のプリアンブルの後に前記第１のプリアンブルが配置されており、かつ、
前記パケットが前記第２のデータレートで送信されることに応じて、前記第１のプリアンブルの後に前記第２のプリアンブルが配置されている、システム。
【請求項２】
前記パケットにおいて前記第２のプリアンブルの後に前記第１のプリアンブルが配置されていることに応じて、前記第１のデータレートで前記パケットを送信する物理層モジュールをさらに備える、請求項１に記載のシステム。
【請求項３】
前記パケットにおいて前記第１のプリアンブルの後に前記第２のプリアンブルが配置されていることに応じて、前記第２のデータレートで前記パケットを送信する物理層モジュールをさらに備える、請求項１に記載のシステム。
【請求項４】
前記パケットにおいて前記第２のプリアンブルの後に前記第１のプリアンブルが配置されていることに応じて、前記第１のデータレートで前記パケットを送信する第１の物理層モジュールと、
前記パケットにおいて前記第１のプリアンブルの後に前記第２のプリアンブルが配置されていることに応じて、前記第２のデータレートで前記パケットを送信する第２の物理層モジュールと
をさらに備える請求項１に記載のシステム。
【請求項５】
前記第１のプリアンブル及び前記第２のプリアンブル内の信号フィールドは、前記パケットの宛先であるステーションの識別子、及び前記パケットの期間を含み、前記ステーションは、前記識別子に基づく前記パケットの宛先が前記ステーションでない場合、前記期間にわたって媒体にアクセスしない、請求項１から４のいずれか１つに記載のシステム。
【請求項６】
媒体を介してパケットを受信する物理層モジュールと、
処理モジュールと
を備える受信機であって、
前記パケットでは、第１のプリアンブルの後に第２のプリアンブルが配置され、
前記第１のプリアンブルは、第１のデータレートに基づいて生成され、
前記第２のプリアンブルは、第２のデータレートに基づいて生成され、
前記第１のプリアンブルおよび前記第２のプリアンブルのそれぞれは、前記パケットの期間を含み、
前記処理モジュールは、
（ｉ）前記受信機が前記第１のデータレートで動作していることに応じて前記第１のプリアンブルを処理し、または、（ｉｉ）前記受信機が前記第２のデータレートで動作することに応じて前記第２のプリアンブルを処理し、
前記第１のプリアンブルまたは前記第２のプリアンブルを処理することに基づいて、前記パケットの前記期間にわたって前記媒体へのアクセスを保留するか否かを判断する、受信機。
【請求項７】
前記第１のプリアンブルは、（ｉ）前記第１のデータレートで動作している受信機をトレーニングするための第１のトレーニングフィールドと、（ｉｉ）前記パケットの前記期間を示す第１の信号フィールドとを含み、
前記処理モジュールは、
前記受信機が（ｉ）前記第１のデータレートで動作しており、（ｉｉ）前記第１のトレーニングフィールドに基づいてトレーニングされることに応じて、前記第１のプリアンブルを処理し、
前記第１の信号フィールドに基づいて前記パケットの前記期間を決定する、請求項６に記載の受信機。
【請求項８】
前記処理モジュールは、（ｉ）前記第１の信号フィールドにおいて識別子を検出し、（ｉｉ）前記識別子が前記パケットの宛先が前記受信機ではないと示すことに応じて、前記パケットの前記期間にわたって前記媒体へアクセスしないと決定する、請求項７に記載の受信機。
【請求項９】
前記第２のプリアンブルは、（ｉ）前記第２のデータレートで動作している受信機をトレーニングするための第２のトレーニングフィールド、および、（ｉｉ）前記パケットの前記期間を示す第２の信号フィールドを含み、
前記処理モジュールは、
前記受信機が（ｉ）前記第２のデータレートで動作しており、（ｉｉ）前記第２のトレーニングフィールドに基づいてトレーニングされることに応じて、前記第２のプリアンブルを処理し、
前記第２の信号フィールドに基づいて前記パケットの前記期間を決定する、請求項６から８のいずれか一項に記載の受信機。
【請求項１０】
前記処理モジュールは、（ｉ）前記第２の信号フィールドにおいて識別子を検出し、（ｉｉ）前記識別子が前記パケットの宛先は前記受信機ではないと示すことに応じて、前記パケットの前記期間にわたって前記媒体にアクセスしないと判断する、請求項９に記載の受信機。
【請求項１１】
前記パケットが前記第２のデータレートで生成されるデータを含んでおり、前記受信機が前記第２のデータレートで動作するように構成されていることに応じて、
前記処理モジュールは、
前記第１のプリアンブルを処理して、
前記第１のプリアンブルを処理することに基づいて、前記パケットが前記第２のデータレートで生成されるデータを含むか否かを判断し、
前記パケットが前記第２のデータレートで生成されるデータを含むと判断することに応じて、前記第２のプリアンブルを処理し、
前記第２のプリアンブルを処理することに基づいて、前記パケットの前記期間を決定する、請求項６から１０のいずれか一項に記載の受信機。
【請求項１２】
前記処理モジュールは、（ｉ）前記第２のプリアンブルにおいて識別子を検出し、（ｉｉ）前記識別子が前記パケットの宛先は前記受信機ではないと示すことに応じて、前記パケットの前記期間にわたって前記媒体にアクセスしないと決定する、請求項１１に記載の受信機。
【請求項１３】
前記パケットが前記第１のデータレートで生成されるデータを含むこと、および、前記受信機が前記第１のデータレートおよび前記第２のデータレートで動作するように構成されていることに応じて、
前記処理モジュールは、
前記第１のプリアンブルを処理し、
前記第１のプリアンブルを処理することに基づいて、前記パケットが前記第２のデータレートで生成されるデータを含むか否かを判断し、
前記パケットが前記第２のデータレートで生成されるデータを含むと判断することに応じて、前記第２のプリアンブルを処理し、
前記第２のプリアンブルを処理することに基づいて、前記パケットの前記期間を決定する、請求項６から１２のいずれか一項に記載の受信機。
【請求項１４】
前記処理モジュールは、（ｉ）前記第２のプリアンブルにおいて識別子を検出し、（ｉｉ）前記識別子が前記パケットの宛先が前記受信機ではないと示すことに応じて、前記パケットの前記期間にわたって前記媒体にアクセスしないと決定する、請求項１３に記載の受信機。
【請求項１５】
第１のデータレートで動作する受信機をトレーニングするための第１のトレーニングフィールドを含む第１のプリアンブルを生成する段階と、
第２のデータレートで動作する受信機をトレーニングするための第２のトレーニングフィールドを含む第２のプリアンブルを生成する段階と、
パケットを生成する段階と
を備え、
前記第２のデータレートは前記第１のデータレートとは異なり、
前記パケットでは、
前記パケットが前記第１のデータレートで送信されることに応じて、前記第２のプリアンブルの後に前記第１のプリアンブルが配置されており、かつ、
前記パケットが前記第２のデータレートで送信されることに応じて、前記第１のプリアンブルの後に前記第２のプリアンブルが配置されている、方法。
【請求項１６】
前記パケットにおいて前記第２のプリアンブルの後に前記第１のプリアンブルが配置されていることに応じて、前記第１のデータレートで前記パケットを送信する段階をさらに備える、請求項１５に記載の方法。
【請求項１７】
前記パケットにおいて前記第１のプリアンブルの後に前記第２のプリアンブルが配置されていることに応じて、前記第２のデータレートで前記パケットを送信する段階をさらに備える、請求項１５に記載の方法。
【請求項１８】
前記パケットにおいて前記第２のプリアンブルの後に前記第１のプリアンブルが配置されていることに応じて、前記第１のデータレートで前記パケットを送信する段階と、
前記パケットにおいて前記第１のプリアンブルの後に前記第２のプリアンブルが配置されていることに応じて、前記第２のデータレートで前記パケットを送信する段階と
をさらに備える請求項１５に記載の方法。
【請求項１９】
前記第１のプリアンブル及び前記第２のプリアンブル内の信号フィールドは、前記パケットの宛先であるステーションの識別子、及び前記パケットの期間を含み、前記ステーションは、前記識別子に基づく前記パケットの宛先が前記ステーションでない場合、前記期間にわたって媒体にアクセスしない、請求項１５から１８のいずれか１つに記載の方法。
【請求項２０】
受信機において媒体を介してパケットを受信する段階を備える方法であって、
前記パケットでは、第１のプリアンブルの後に第２のプリアンブルが配置され、
前記第１のプリアンブルは、第１のデータレートに基づいて生成され、
前記第２のプリアンブルは、第２のデータレートに基づいて生成され、
前記第１のプリアンブルおよび前記第２のプリアンブルのそれぞれは、前記パケットの期間を含み、
前記方法はさらに、
（ｉ）前記受信機が前記第１のデータレートで動作していることに応じて前記第１のプリアンブルを処理する段階、または、（ｉｉ）前記受信機が前記第２のデータレートで動作することに応じて前記第２のプリアンブルを処理する段階と、
前記第１のプリアンブルを処理する段階、または、前記第２のプリアンブルを処理する段階に基づいて、前記パケットの前記期間にわたって前記媒体へのアクセスを保留するか否かを判断する段階とを備える、方法。
【請求項２１】
前記第１のプリアンブルは、（ｉ）前記第１のデータレートで動作している受信機をトレーニングするための第１のトレーニングフィールドと、（ｉｉ）前記パケットの前記期間を示す第１の信号フィールドとを含み、
前記方法はさらに、
前記受信機が（ｉ）前記第１のデータレートで動作しており、（ｉｉ）前記第１のトレーニングフィールドに基づいてトレーニングされることに応じて、前記第１のプリアンブルを処理する段階と、
前記第１の信号フィールドに基づいて前記パケットの前記期間を決定する段階とを備える、請求項２０に記載の方法。
【請求項２２】
前記第１の信号フィールドにおいて識別子を検出する段階と、
前記識別子が前記パケットの宛先が前記受信機ではないと示すことに応じて、前記パケットの前記期間にわたって前記媒体へアクセスしないと決定する段階と
をさらに備える請求項２１に記載の方法。
【請求項２３】
前記第２のプリアンブルは、（ｉ）前記第２のデータレートで動作している受信機をトレーニングするための第２のトレーニングフィールド、および、（ｉｉ）前記パケットの前記期間を示す第２の信号フィールドを含み、
前記方法はさらに、
前記受信機が（ｉ）前記第２のデータレートで動作しており、（ｉｉ）前記第２のトレーニングフィールドに基づいてトレーニングされることに応じて、前記第２のプリアンブルを処理する段階と、
前記第２の信号フィールドに基づいて前記パケットの前記期間を決定する段階と
を備える請求項２０から２２のいずれか一項に記載の方法。
【請求項２４】
前記第２の信号フィールドにおいて識別子を検出する段階と、
前記識別子が前記パケットの宛先は前記受信機ではないと示すことに応じて、前記パケットの前記期間にわたって前記媒体にアクセスしないと判断する段階と
をさらに備える、請求項２３に記載の方法。
【請求項２５】
前記パケットが前記第２のデータレートで生成されるデータを含んでおり、前記受信機が前記第２のデータレートで動作するように構成されていることに応じて、
前記第１のプリアンブルを処理する段階と、
前記第１のプリアンブルを処理することに基づいて、前記パケットが前記第２のデータレートで生成されるデータを含むか否かを判断する段階と、
前記パケットが前記第２のデータレートで生成されるデータを含むと判断することに応じて、前記第２のプリアンブルを処理する段階と、
前記第２のプリアンブルを処理することに基づいて、前記パケットの前記期間を決定する段階と
をさらに備える、請求項２０から２４のいずれか一項に記載の方法。
【請求項２６】
前記第２のプリアンブルにおいて識別子を検出する段階と、
前記識別子が前記パケットの宛先は前記受信機ではないと示すことに応じて、前記パケットの前記期間にわたって前記媒体にアクセスしないと決定する段階と
をさらに備える、請求項２５に記載の方法。
【請求項２７】
前記パケットが前記第１のデータレートで生成されるデータを含むこと、および、前記受信機が前記第１のデータレートおよび前記第２のデータレートで動作するように構成されていることに応じて、
前記第１のプリアンブルを処理する段階と、
前記第１のプリアンブルを処理することに基づいて、前記パケットが前記第２のデータレートで生成されるデータを含むか否かを判断する段階と、
前記パケットが前記第２のデータレートで生成されるデータを含むと判断することに応じて、前記第２のプリアンブルを処理する段階と、
前記第２のプリアンブルを処理することに基づいて、前記パケットの前記期間を決定する段階と
をさらに備える請求項２０から２４のいずれか一項に記載の方法。
【請求項２８】
前記第２のプリアンブルにおいて識別子を検出する段階と、
前記識別子が前記パケットの宛先が前記受信機ではないと示すことに応じて、前記パケットの前記期間にわたって前記媒体にアクセスしないと決定する段階とをさらに備える
請求項２７に記載の方法。
【発明の詳細な説明】
【技術分野】
【０００１】
＜関連出願＞
本願は、米国特許出願第１３／５５０，０７８号（出願日：２０１２年７月１６日）および米国仮特許出願第６１／５０８，４７４号（出願日：２０１１年７月１５日）に基づき優先権を主張する。
【０００２】
本願は、米国特許出願第１３／５５０，０８３号（出願日：２０１２年７月１６日）、米国仮特許出願第６１／５２８，６６０号（出願日：２０１１年８月２９日）および米国仮特許出願第６１／５９５，８２１号（出願日：２０１２年２月７日）に関連する。本願はさらに、米国仮特許出願第６１／２２８，０８４号（出願日：２００９年７月２３日）による恩恵を主張する米国特許出願第１２／８４１，７７２号（出願日：２０１０年７月２２日）に関連する。本願はさらに、米国仮特許出願第６１／４８６，７１３号（出願日：２０１１年５月１６日）に関する。
【０００３】
上記の出願の開示内容は全て、参照により本願に組み込まれる。
【０００４】
本開示は、概して無線通信システムに関し、具体的には通常レートの物理層および低レートの物理層の無線ネットワークにおける共存に関する。
【背景技術】
【０００５】
本明細書に記載する背景技術の説明は、本開示がどのような文脈で為されたかの概要を説明する目的で記載するものである。本願の発明者として名前を挙げているものの研究内容は、この背景技術のセクションに記載されている限りにおいて、出願時に先行技術と認められない部分と同様に、本開示に対する先行技術として明示的にも暗示的にも認めるものではない。
【０００６】
米国電気電子学会（ＩＥＥＥ）は、ワイヤレスローカルエリアネットワーク（ＷＬＡＮ）の規格を定めている。概して８０２．１ｘと記述される一部の規格は、ＷＬＡＮ用の動作パラメータ、例えば、周波数帯域、変調符号化方式、データレートおよびパケット形式を特定している。
【０００７】
高データレートを実現するべく、大半のＷＬＡＮは高周波数帯域で動作する。例えば、８０２．１１ａ／ｂ／ｇ／ｎ／ａｃ／ａｄ規格に準拠するＷＬＡＮは、２．４ＧＨｚ、５ＧＨｚまたは６０ＧＨｚの周波数帯域で動作し、１１Ｍｂｐｓから１Ｇｂｐｓを超える帯域までの範囲内のデータレートを実現する。しかし、これらのＷＬＡＮの範囲は、高周波動作のために比較的短距離である。
【０００８】
ＷＬＡＮの範囲は、動作周波数を低くすることによって拡大することができる。しかし、動作周波数が低くなると、動作帯域幅が低いために、データレートも同様に低くする必要がある。例えば、８０２．１１ａｈ規格および８０２．１１ａｆ規格に準拠したＷＬＡＮは、サブギガ（Ｓｕｂ−１ＧＨｚ）の周波数帯域で動作し、１ＭＨｚまたは２ＭＨｚの帯域幅で動作するので、８０２．１１ａ／ｂ／ｇ／ｎ／ａｃ／ａｄ規格に準拠するＷＬＡＮに比べて、範囲は大きいがデータレートは低い。
【発明の概要】
【課題を解決するための手段】
【０００９】
システムは、第１のプリアンブル生成モジュールと、第２のプリアンブル生成モジュールと、パケット生成モジュールとを備える。第１のプリアンブル生成モジュールは、第１のプリアンブルを生成する。第１のプリアンブルは、第１のデータレートで動作する受信機をトレーニングするための第１のトレーニングフィールドを含む。第２のプリアンブル生成モジュールは、第２のプリアンブルを生成する。第２のプリアンブルは、第２のデータレートで動作する受信機をトレーニングするための第２のトレーニングフィールドを含む。第２のデータレートは第１のデータレートとは異なる。パケット生成モジュールは、パケットを生成する。パケットでは、パケットが第１のデータレートで送信されることに応じて、第２のプリアンブルの後に第１のプリアンブルが配置されているか、または、パケットが第２のデータレートで送信されることに応じて、第１のプリアンブルの後に第２のプリアンブルが配置されている。
【００１０】
他の特徴を挙げると、システムは、パケットにおいて第２のプリアンブルの後に第１のプリアンブルが配置されていることに応じて、第１のデータレートでパケットを送信する物理層モジュールをさらに備える。
【００１１】
他の特徴を挙げると、システムは、パケットが第１のプリアンブルの後に第２のプリアンブルを含むことに応じて、第２のデータレートでパケットを送信する物理層モジュールをさらに備える。
【００１２】
他の特徴を挙げると、システムは、パケットにおいて第２のプリアンブルの後に第１のプリアンブルが配置されていることに応じて、第１のデータレートでパケットを送信する第１の物理層モジュールと、パケットにおいて第１のプリアンブルの後に第２のプリアンブルが配置されていることに応じて、第２のデータレートでパケットを送信する第２の物理層モジュールとをさらに備える。
【００１３】
さらに他の特徴を挙げると、受信機は、物理層モジュールと、処理モジュールとを備える。物理層モジュールは、媒体を介してパケットを受信する。パケットでは、第１のプリアンブルの後に第２のプリアンブルが配置されている。第１のプリアンブルは、第１のデータレートに基づいて生成される。第２のプリアンブルは、第２のデータレートに基づいて生成される。第１のプリアンブルおよび第２のプリアンブルのうち少なくとも一方は、パケットの期間を含む。処理モジュールは、（ｉ）受信機が第１のデータレートで動作していることに応じて第１のプリアンブルを処理し、または、（ｉｉ）受信機が第２のデータレートで動作することに応じて第２のプリアンブルを処理し、第１のプリアンブルまたは第２のプリアンブルを処理することに基づいて、パケットの期間にわたって媒体へのアクセスを保留するか否かを判断する。
【００１４】
他の特徴を挙げると、第１のプリアンブルは、（ｉ）第１のデータレートで動作している受信機をトレーニングするための第１のトレーニングフィールドと、（ｉｉ）パケットの期間を示す第１の信号フィールドとを含み、処理モジュールは、受信機が（ｉ）第１のデータレートで動作しており、（ｉｉ）第１のトレーニングフィールドに基づいてトレーニングされることに応じて、第１のプリアンブルを処理し、第１の信号フィールドに基づいてパケットの期間を決定する。処理モジュールは、（ｉ）第１の信号フィールドにおいて識別子を検出し、（ｉｉ）識別子がパケットの宛先が受信機ではないと示すことに応じて、パケットの期間にわたって媒体へアクセスしないと決定する。
【００１５】
他の特徴を挙げると、第２のプリアンブルは、（ｉ）第２のデータレートで動作している受信機をトレーニングするための第２のトレーニングフィールド、および、（ｉｉ）パケットの期間を示す第２の信号フィールドを含み、処理モジュールは、受信機が（ｉ）第２のデータレートで動作しており、（ｉｉ）第２のトレーニングフィールドに基づいてトレーニングされることに応じて、第２のプリアンブルを処理し、第２の信号フィールドに基づいてパケットの期間を決定する。処理モジュールは、（ｉ）第２の信号フィールドにおいて識別子を検出し、（ｉｉ）識別子がパケットの宛先は受信機ではないと示すことに応じて、パケットの期間にわたって媒体にアクセスしないと判断する
【００１６】
他の特徴を挙げると、パケットが第２のデータレートで生成されるデータを含んでおり、受信機が第２のデータレートで動作するように構成されていることに応じて、処理モジュールは、第１のプリアンブルを処理して、第１のプリアンブルを処理することに基づいて、パケットが第２のデータレートで生成されるデータを含むか否かを判断し、パケットが第２のデータレートで生成されるデータを含むと判断することに応じて、第２のプリアンブルを処理し、第２のプリアンブルを処理することに基づいて、パケットの期間を決定する。処理モジュールは、（ｉ）第２のプリアンブルにおいて識別子を検出し、（ｉｉ）識別子がパケットの宛先は受信機ではないと示すことに応じて、パケットの期間にわたって媒体にアクセスしないと決定する。
【００１７】
他の特徴を挙げると、パケットが第１のデータレートで生成されるデータを含むこと、および、受信機が第１のデータレートおよび第２のデータレートで動作するように構成されていることに応じて、処理モジュールは、第１のプリアンブルを処理し、第１のプリアンブルを処理することに基づいて、パケットが第２のデータレートで生成されるデータを含むか否かを判断し、パケットが第２のデータレートで生成されるデータを含むと判断することに応じて、第２のプリアンブルを処理し、第２のプリアンブルを処理することに基づいて、パケットの期間を決定する。処理モジュールは、（ｉ）第２のプリアンブルにおいて識別子を検出し、（ｉｉ）識別子がパケットの宛先が受信機ではないと示すことに応じて、パケットの期間にわたって媒体にアクセスしないと決定する。
【００１８】
さらに他の特徴を挙げると、方法は、第１のデータレートで動作する受信機をトレーニングするための第１のトレーニングフィールドを含む第１のプリアンブルを生成する段階と、第２のデータレートで動作する受信機をトレーニングするための第２のトレーニングフィールドを含む第２のプリアンブルを生成する段階とを備え、第２のデータレートは第１のデータレートとは異なる。当該方法はさらに、パケットを生成する段階を備え、パケットでは、パケットが第１のデータレートで送信されることに応じて、第２のプリアンブルの後に第１のプリアンブルが配置されており、または、パケットが第２のデータレートで送信されることに応じて、第１のプリアンブルの後に第２のプリアンブルが配置されている。
【００１９】
他の特徴を挙げると、当該方法は、パケットにおいて第２のプリアンブルの後に第１のプリアンブルが配置されていることに応じて、第１のデータレートでパケットを送信する段階をさらに備える。
【００２０】
他の特徴を挙げると、当該方法は、パケットにおいて第１のプリアンブルの後に第２のプリアンブルが配置されていることに応じて、第２のデータレートでパケットを送信する段階をさらに備える。
【００２１】
他の特徴を挙げると、当該方法は、パケットにおいて第２のプリアンブルの後に第１のプリアンブルが配置されていることに応じて、第１のデータレートでパケットを送信する段階と、パケットにおいて第１のプリアンブルの後に第２のプリアンブルが配置されていることに応じて、第２のデータレートでパケットを送信する段階とをさらに備える。
【００２２】
さらに他の特徴を挙げると、受信機において媒体を介してパケットを受信する段階を備える方法であって、パケットでは、第１のプリアンブルの後に第２のプリアンブルが配置され、第１のプリアンブルは、第１のデータレートに基づいて生成され、第２のプリアンブルは、第２のデータレートに基づいて生成され、第１のプリアンブルおよび第２のプリアンブルのうち少なくとも一方は、パケットの期間を含む。当該方法はさらに、（ｉ）受信機が第１のデータレートで動作していることに応じて第１のプリアンブルを処理する段階、または、（ｉｉ）受信機が第２のデータレートで動作することに応じて第２のプリアンブルを処理する段階と、第１のプリアンブルを処理する段階、または、第２のプリアンブルを処理する段階に基づいて、パケットの期間にわたって媒体へのアクセスを保留するか否かを判断する段階とを備える。
【００２３】
他の特徴を挙げると、第１のプリアンブルは、（ｉ）第１のデータレートで動作している受信機をトレーニングするための第１のトレーニングフィールドと、（ｉｉ）パケットの期間を示す第１の信号フィールドとを含み、当該方法はさらに、受信機が（ｉ）第１のデータレートで動作しており、（ｉｉ）第１のトレーニングフィールドに基づいてトレーニングされることに応じて、第１のプリアンブルを処理する段階と、第１の信号フィールドに基づいてパケットの期間を決定する段階とを備える。当該方法は、第１の信号フィールドにおいて識別子を検出する段階と、識別子がパケットの宛先が受信機ではないと示すことに応じて、パケットの期間にわたって媒体へアクセスしないと決定する段階とをさらに備える。
【００２４】
他の特徴を挙げると、第２のプリアンブルは、（ｉ）第２のデータレートで動作している受信機をトレーニングするための第２のトレーニングフィールド、および、（ｉｉ）パケットの期間を示す第２の信号フィールドを含み、当該方法はさらに、受信機が（ｉ）第２のデータレートで動作しており、（ｉｉ）第２のトレーニングフィールドに基づいてトレーニングされることに応じて、第２のプリアンブルを処理する段階と、第２の信号フィールドに基づいてパケットの期間を決定する段階とを備える。当該方法は、第２の信号フィールドにおいて識別子を検出する段階と、識別子がパケットの宛先は受信機ではないと示すことに応じて、パケットの期間にわたって媒体にアクセスしないと判断する段階とをさらに備える。
【００２５】
他の特徴を挙げると、当該方法は、パケットが第２のデータレートで生成されるデータを含んでおり、受信機が第２のデータレートで動作するように構成されていることに応じて、第１のプリアンブルを処理する段階と、第１のプリアンブルを処理することに基づいて、パケットが第２のデータレートで生成されるデータを含むか否かを判断する段階と、パケットが第２のデータレートで生成されるデータを含むと判断することに応じて、第２のプリアンブルを処理する段階と、第２のプリアンブルを処理することに基づいて、パケットの期間を決定する段階とをさらに備える。当該方法は、第２のプリアンブルにおいて識別子を検出する段階と、識別子がパケットの宛先は受信機ではないと示すことに応じて、パケットの期間にわたって媒体にアクセスしないと決定する段階とをさらに備える。
【００２６】
他の特徴を挙げると、当該方法は、パケットが第１のデータレートで生成されるデータを含むこと、および、受信機が第１のデータレートおよび第２のデータレートで動作するように構成されていることに応じて、第１のプリアンブルを処理する段階と、第１のプリアンブルを処理することに基づいて、パケットが第２のデータレートで生成されるデータを含むか否かを判断する段階と、パケットが第２のデータレートで生成されるデータを含むと判断することに応じて、第２のプリアンブルを処理する段階と、第２のプリアンブルを処理することに基づいて、パケットの期間を決定する段階とをさらに備える。当該方法は、第２のプリアンブルにおいて識別子を検出する段階と、識別子がパケットの宛先が受信機ではないと示すことに応じて、パケットの期間にわたって媒体にアクセスしないと決定する段階とをさらに備える。
【００２７】
さらに他の特徴を挙げると、アクセスポイントは、第１の物理層モジュールおよび第２の物理層モジュールを備える。第１の物理層モジュールは、一のチャネルの第１のサブチャネルおよび第２のサブチャネルを介して第１のデータレートで通信する。第２の物理層モジュールは、（ｉ）第１のサブチャネルまたは（ｉｉ）第２のサブチャネルを介して第２のデータレートで通信する。尚、第１のデータレートは、第２のデータレートよりも高い。第１の物理層モジュールは、第１のクライアントステーションから、第１のクライアントステーションからアクセスポイントへと第１のデータレートでデータを送信するべくチャネルを確保するよう求める要求を受信する。当該要求は、第１のサブチャネルまたは第２のサブチャネルを介して第２のデータレートでアクセスポイントにデータを送信する第２のクライアントステーションによって受信されない。第１の物理層モジュールが第１のクライアントステーションから要求を受信することに応じて、アクセスポイントは、（ｉ）第１のクライアントステーションにチャネルを介して第１のデータレートでデータを送信させ、且つ、（ｉｉ）第１のクライアントステーションが第１のデータレートでチャネルを介してアクセスポイントへデータを送信している間に、第２のクライアントステーションが、第１のサブチャネルまたは第２のサブチャネルを介して第２のデータレートでデータを送信しないようにするための応答を送信する。
【００２８】
他の特徴を挙げると、要求は、送信要求（ｒｅａｄｙ  ｔｏ  ｓｅｎｄ）フレームを含み、応答は、送信可能（ｃｌｅａｒ  ｔｏ  ｓｅｎｄ）フレームを含む。第１の物理層モジュールおよび第２の物理層モジュールは、ｃｌｅａｒ  ｔｏ  ｓｅｎｄフレームを送信する。
【００２９】
他の特徴を挙げると、第１の物理層モジュールは、第２の物理層モジュールが応答を送信する前に応答を送信し、第２の物理層モジュールは、第１の物理層モジュールが応答を送信した後に応答を送信する。または、第２の物理層モジュールは、第１の物理層モジュールが応答を送信する前に応答を送信し、第１の物理層モジュールは、第２の物理層モジュールが応答を送信した後に応答を送信する。
【００３０】
他の特徴を挙げると、応答は、ハイブリッドパケットを含む。ハイブリッドパケットは、（ｉ）第１のデータレートで生成される第１のプリアンブル、（ｉｉ）第２のデータレートで生成される第２のプリアンブル、および、（ｉｉｉ）第２のデータレートで生成されるペイロードを含み、第１のプリアンブルは、データをアクセスポイントに送信するべく第１のクライアントステーションのためにチャネルが確保されている期間を含む。
【００３１】
他の特徴を挙げると、応答は、ハイブリッドパケットを含む。ハイブリッドパケットは、（ｉ）第２のデータレートで生成される第１のプリアンブル、（ｉｉ）第１のデータレートで生成される第２のプリアンブル、および（ｉｉｉ）第１のデータレートで生成されるペイロードを含み、第１のプリアンブルは、データをアクセスポイントに送信するべくチャネルが第１のクライアントステーションのために確保されている期間を含む。
【００３２】
他の特徴を挙げると、応答は、第１のパケットを含み、その後にギャップおよび第２のパケットが続く。第１のパケットは第１のデータレートで生成され、第２のパケットは第２のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００３３】
他の特徴を挙げると、応答は、第１のパケットを含み、その後にギャップおよび第２のパケットが続く。第１のパケットは第２のデータレートで生成され、第２のパケットは第１のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００３４】
他の特徴を挙げると、第１のクライアントステーションが応答を受信することに応じて、第１の物理層モジュールは、第２のクライアントステーションから干渉されることなく、第１のクライアントステーションからデータを受信する。
【００３５】
さらに他の特徴を挙げると、アクセスポイントは、第１の物理層モジュールおよび第２の物理層モジュールを備える。第１の物理層モジュールは、一のチャネルの第１のサブチャネルおよび第２のサブチャネルを介して第１のデータレートで通信する。第２の物理層モジュールは、（ｉ）第１のサブチャネルまたは（ｉｉ）第２のサブチャネルを介して第２のデータレートで通信する。尚、第１のデータレートは、第２のデータレートよりも高い。第２の物理層モジュールは、第１のクライアントステーションからアクセスポイントへと第２のデータレートでデータを送信するべく第１のサブチャネルまたは第２のサブチャネルを確保するよう求める要求を、第１のクライアントステーションから受信する。当該要求は、チャネルを介して第１のデータレートでアクセスポイントにデータを送信する第２のクライアントステーションによって処理されない。第２の物理層モジュールが第１のクライアントステーションから要求を受信することに応じて、アクセスポイントは、（ｉ）第１のクライアントステーションから第１のサブチャネルまたは第２サブチャネルを介して第２のデータレートでデータを送信させ、且つ（ｉｉ）第１のクライアントステーションが第２のデータレートで第１のサブチャネルまたは第２のサブチャネルを介してアクセスポイントへデータを送信している間に、第２のクライアントステーションが、チャネルを介して第１のデータレートでデータを送信しないようにするための応答を送信する。
【００３６】
他の特徴を挙げると、要求は、送信要求（ｒｅａｄｙ  ｔｏ  ｓｅｎｄ）フレームを含み、応答は、送信可能（ｃｌｅａｒ  ｔｏ  ｓｅｎｄ）フレームを含む。第１の物理層モジュールおよび第２の物理層モジュールは、ｃｌｅａｒ  ｔｏ  ｓｅｎｄフレームを送信する。
【００３７】
他の特徴を挙げると、第１の物理層モジュールは、第２の物理層モジュールが応答を送信する前に応答を送信し、第２の物理層モジュールは、第１の物理層モジュールが応答を送信した後に応答を送信する。または、第２の物理層モジュールは、第１の物理層モジュールが応答を送信する前に応答を送信し、第１の物理層モジュールは、第２の物理層モジュールが応答を送信した後に応答を送信する。
【００３８】
他の特徴を挙げると、応答は、ハイブリッドパケットを含む。ハイブリッドパケットは、（ｉ）第１のデータレートで生成される第１のプリアンブル、（ｉｉ）第２のデータレートで生成される第２のプリアンブル、および、（ｉｉｉ）第２のデータレートで生成されるペイロードを含み、第１のプリアンブルは、データをアクセスポイントに送信するべく第１のクライアントステーションのためにチャネルが確保されている期間を含む。
【００３９】
他の特徴を挙げると、応答は、ハイブリッドパケットを含む。ハイブリッドパケットは、（ｉ）第２のデータレートで生成される第１のプリアンブル、（ｉｉ）第１のデータレートで生成される第２のプリアンブル、および（ｉｉｉ）第１のデータレートで生成されるペイロードを含み、第１のプリアンブルは、データをアクセスポイントに送信するべくチャネルが第１のクライアントステーションのために確保されている期間を含む。
【００４０】
他の特徴を挙げると、応答は、第１のパケットを含み、その後にギャップおよび第２のパケットが続く。第１のパケットは第１のデータレートで生成され、第２のパケットは第２のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００４１】
他の特徴を挙げると、応答は、第１のパケットを含み、その後にギャップおよび第２のパケットが続く。第１のパケットは第２のデータレートで生成され、第２のパケットは第１のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００４２】
他の特徴を挙げると、第１のクライアントステーションが応答を受信することに応じて、第２の物理層モジュールは、第２のクライアントステーションからの干渉を発生させることなく、第１のクライアントステーションからデータを受信する。
【００４３】
さらに他の特徴を挙げると、第１のクライアントステーションは、第１の物理層モジュールおよび第２の物理層モジュールを備える。第１の物理層モジュールは、一のチャネルの第１のサブチャネルおよび第２のサブチャネルを介して第１のデータレートで通信する。第２の物理層モジュールは、（ｉ）第１のサブチャネルまたは（ｉｉ）第２のサブチャネルを介して第２のデータレートで通信する。尚、第１のデータレートは、第２のデータレートよりも高い。第１のクライアントステーションは、第１のデータレートでの通信を実行可能な第２のクライアントステーションに対応付けられているアクセスポイントと通信する。第１のクライアントステーションは、（ｉ）第２の物理層モジュールのみ、（ｉｉ）第１の物理層モジュールおよび第２の物理層モジュール、（ｉｉｉ）後にギャップおよび第２のパケットが続く第１のパケットの送信、および、（ｉｖ）後にギャップおよび第１のパケットが続く第２のパケットの送信のうち１つを利用して、（ｉ）第１のデータレートでデータを送信するべくチャネルを確保するよう求める要求、または、第２のデータレートでデータを送信するべく第１のサブチャネルまたは第２のサブチャネルを確保するよう求める要求をアクセスポイントに送信し、（ｉｉ）第２のクライアントステーションからの干渉を発生させることなくアクセスポイントにデータを送信する。第１のパケットは、第１のデータレートで生成され、ペイロードを含んでおらず、第２のパケットは、第２のデータレートで生成されており、ペイロードを含む。
【００４４】
他の特徴を挙げると、システムは、第１のクライアントステーションおよびアクセスポイントを備える。アクセスポイントは、（ｉ）第１のクライアントステーションから、第１の物理層モジュールを用いてチャネルを介して、または、第２の物理層モジュールを用いて第１のサブチャネルまたは第２のサブチャネルを介して、データを送信させるべく、且つ、（ｉｉ）第１のクライアントステーションがアクセスポイントへデータを送信している間に、第２のクライアントステーションがチャネルを介してデータを送信しないようにするべく、応答を送信する。
【００４５】
他の特徴を挙げると、アクセスポイントは、第３の物理層モジュールおよび第４の物理層モジュールを備える。第３の物理層モジュールは、第１のデータレートで、第１のサブチャネルおよび第２のサブチャネルを介して、通信する。第４の物理層モジュールは、第２のデータレートで、（ｉ）第１のサブチャネルまたは（ｉｉ）第２のサブチャネルを介して通信する。アクセスポイントは、（ｉ）第４の物理層モジュールのみ、（ｉｉ）第３の物理層モジュールおよび第４の物理層モジュール、（ｉｉｉ）ギャップおよび第４のパケットが後に続く第３のパケットの送信、および（ｉｖ）ギャップおよび第３のパケットが後に続く第４のパケットの送信のうち１つを用いて応答を送信する。第３のパケットは、第１のデータレートで生成され、ペイロードを含まないがプリアンブルを含む。プリアンブルは、データをアクセスポイントに送信するべくチャネルが第１のクライアントステーションのために確保されている期間を含み、第４のパケットは、第２のデータレートで生成され、ペイロードを含む。
【００４６】
さらに他の特徴を挙げると、方法は、一のチャネルの第１のサブチャネルおよび第２のサブチャネルを介して、アクセスポイントの第１の物理層モジュールを用いて、第１のデータレートで通信する段階と、（ｉ）第１のサブチャネルまたは（ｉｉ）第２のサブチャネルを介して、アクセスポイントの第２の物理層モジュールを用いて、第２のデータレートで通信する段階とを備え、第１のデータレートは第２のデータレートよりも高い。当該方法はさらに、第１の物理層モジュールにおいて、第１のクライアントステーションから、第１のデータレートで第１のクライアントステーションからアクセスポイントにデータを送信するべくチャネルを確保するよう求める要求を受信する段階を備え、当該要求は、第２のレートで第１のサブチャネルまたは第２のサブチャネルを介してアクセスポイントにデータを送信する第２のクライアントステーションでは受信されない。当該方法はさらに、第１の物理層モジュールが第１のクライアントステーションから要求を受信することに応じて、（ｉ）第１のクライアントステーションから第１のデータレートでチャネルを介してデータを送信させ、（ｉｉ）第１のクライアントステーションが第１のデータレートでチャネルを介してアクセスポイントにデータを送信する間、第２のクライアントステーションが、第２のレートで第１のサブチャネルまたは第２のサブチャネルを介してデータを送信しないようにするための応答をアクセスポイントから送信する段階を備える。
【００４７】
他の特徴を挙げると、要求は、送信要求（ｒｅａｄｙ  ｔｏ  ｓｅｎｄ）フレームを含み、応答は、送信可能（ｃｌｅａｒ  ｔｏ  ｓｅｎｄ）フレームを含む。第１の物理層モジュールおよび第２の物理層モジュールは、ｃｌｅａｒ  ｔｏ  ｓｅｎｄフレームを送信する。
【００４８】
他の特徴を挙げると、当該方法はさらに、第２の物理層モジュールが応答を送信する前に第１の物理層モジュールから応答を送信して、第１の物理層モジュールが応答を送信した後に第２の物理層モジュールから応答を送信する段階、または、第１の物理層モジュールが応答を送信する前に第２の物理層モジュールから応答を送信し、第２の物理層モジュールが応答を送信した後に第１の物理層モジュールから応答を送信する段階を備える。
【００４９】
他の特徴を挙げると、応答は、ハイブリッドパケットを含む。ハイブリッドパケットは、（ｉ）第１のデータレートで生成される第１のプリアンブル、（ｉｉ）第２のデータレートで生成される第２のプリアンブル、および、（ｉｉｉ）第２のデータレートで生成されるペイロードを含み、第１のプリアンブルは、データをアクセスポイントに送信するべく第１のクライアントステーションのためにチャネルが確保されている期間を含む。
【００５０】
他の特徴を挙げると、応答は、ハイブリッドパケットを含む。ハイブリッドパケットは、（ｉ）第２のデータレートで生成される第１のプリアンブル、（ｉｉ）第１のデータレートで生成される第２のプリアンブル、および（ｉｉｉ）第１のデータレートで生成されるペイロードを含み、第１のプリアンブルは、データをアクセスポイントに送信するべくチャネルが第１のクライアントステーションのために確保されている期間を含む。
【００５１】
他の特徴を挙げると、応答は、第１のパケットを含み、その後にギャップおよび第２のパケットが続く。第１のパケットは第１のデータレートで生成され、第２のパケットは第２のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００５２】
他の特徴を挙げると、応答は、第１のパケットを含み、その後にギャップおよび第２のパケットが続く。第１のパケットは第２のデータレートで生成され、第２のパケットは第１のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００５３】
他の特徴を挙げると、当該方法はさらに、第１のクライアントステーションが応答を受信することに応じて、第１の物理層モジュールは、第２のクライアントステーションから干渉されることなく、第１のクライアントステーションからデータを受信する段階を備える。
【００５４】
さらに他の特徴を挙げると、方法は、一のチャネルの第１のサブチャネルおよび第２のサブチャネルを介して、アクセスポイントの第１の物理層モジュールを用いて、第１のデータレートで通信する段階と、（ｉ）第１のサブチャネルまたは（ｉｉ）第２のサブチャネルを介して、アクセスポイントの第２の物理層モジュールを用いて、第２のデータレートで通信する段階とを備え、第１のデータレートは第２のデータレートよりも高い。当該方法はさらに、第２の物理層モジュールにおいて、第１のクライアントステーションから、第２のデータレートで第１のクライアントステーションからアクセスポイントにデータを送信するべく第１のサブチャネルまたは第２のサブチャネルを確保するよう求める要求を受信する段階を備え、当該要求は、チャネルを介して第１のデータレートでアクセスポイントにデータを送信する第２のクライアントステーションによって処理されない。当該方法はさらに、第２の物理層モジュールが第１のクライアントステーションから要求を受信することに応じて、アクセスポイントから、（ｉ）第１のクライアントステーションから第１のサブチャネルまたは第２のサブチャネルを介して第２のデータレートでデータを送信させるべく、そして、（ｉｉ）第１のクライアントステーションが第２のデータレートで第１のサブチャネルまたは第２のサブチャネルを介してアクセスポイントへデータを送信している間に、第２のクライアントステーションが、チャネルを介して第１のデータレートでデータを送信しないようにするべく、応答を送信する段階を備える。
【００５５】
他の特徴を挙げると、要求は、送信要求（ｒｅａｄｙ  ｔｏ  ｓｅｎｄ）フレームを含み、応答は、送信可能（ｃｌｅａｒ  ｔｏ  ｓｅｎｄ）フレームを含む。第１の物理層モジュールおよび第２の物理層モジュールは、ｃｌｅａｒ  ｔｏ  ｓｅｎｄフレームを送信する。
【００５６】
他の特徴を挙げると、当該方法はさらに、第２の物理層モジュールが応答を送信する前に第１の物理層モジュールから応答を送信し、第１の物理層モジュールが応答を送信した後に第２の物理層モジュールから応答を送信する段階、または、第１の物理層モジュールが応答を送信する前に第２の物理層モジュールから応答を送信し、第２の物理層モジュールが応答を送信した後に第１の物理層モジュールから応答を送信する段階を備える。
【００５７】
他の特徴を挙げると、応答は、ハイブリッドパケットを含む。ハイブリッドパケットは、（ｉ）第１のデータレートで生成される第１のプリアンブル、（ｉｉ）第２のデータレートで生成される第２のプリアンブル、および、（ｉｉｉ）第２のデータレートで生成されるペイロードを含み、第１のプリアンブルは、データをアクセスポイントに送信するべく第１のクライアントステーションのためにチャネルが確保されている期間を含む。
【００５８】
他の特徴を挙げると、応答は、ハイブリッドパケットを含む。ハイブリッドパケットは、（ｉ）第２のデータレートで生成される第１のプリアンブル、（ｉｉ）第１のデータレートで生成される第２のプリアンブル、および（ｉｉｉ）第１のデータレートで生成されるペイロードを含み、第１のプリアンブルは、データをアクセスポイントに送信するべくチャネルが第１のクライアントステーションのために確保されている期間を含む。
【００５９】
他の特徴を挙げると、応答は、第１のパケットを含み、その後にギャップおよび第２のパケットが続く。第１のパケットは第１のデータレートで生成され、第２のパケットは第２のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００６０】
他の特徴を挙げると、応答は、第１のパケットを含み、その後にギャップおよび第２のパケットが続く。第１のパケットは第２のデータレートで生成され、第２のパケットは第１のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【００６１】
他の特徴を挙げると、当該方法はさらに、第１のクライアントステーションが応答を受信することに応じて、第２の物理層モジュールは、第２のクライアントステーションから干渉されることなく、第１のクライアントステーションからデータを受信する段階を備える。
【００６２】
さらに他の特徴を挙げると、方法は、一のチャネルの第１のサブチャネルおよび第２のサブチャネルを介して、第１のクライアントステーションの第１の物理層モジュールを用いて、第１のデータレートで通信する段階と、（ｉ）第１のサブチャネルまたは（ｉｉ）第２のサブチャネルを介して、第１のクライアントステーションの第２の物理層モジュールを用いて、第２のデータレートで通信する段階とを備え、第１のデータレートは第２のデータレートよりも高い。第１のクライアントステーションは、第１のデータレートで通信可能な第２のクライアントステーションに対応付けられているアクセスポイントと通信する。当該方法はさらに、第１のクライアントステーションから、（ｉ）第２のデータレートでデータを送信するために第１のサブチャネルまたは第２のサブチャネルを確保するよう求める要求、または、第１のデータレートでデータを送信するためにチャネルを確保するよう求める要求をアクセスポイントに、および、（ｉｉ）第２のクライアントステーションからの干渉を発生させることなくデータをアクセスポイントに、（ｉ）第２の物理層モジュールのみ、（ｉｉ）第１の物理層モジュールおよび第２の物理層モジュール、（ｉｉｉ）ギャップおよび第２のパケットが後に続く第１のパケットの送信、および（ｉｖ）ギャップおよび第１のパケットが後に続く第２のパケットの送信のうち１つを用いて、送信する段階を備える。尚、第１のパケットは、第１のデータレートで生成され、ペイロードを含んでおらず、第２のパケットは、第２のデータレートで生成され、ペイロードを含んでいる。
【００６３】
他の特徴を挙げると、当該方法はさらに、（ｉ）チャネルを介して第１の物理層モジュールを用いて、または、第１のサブチャネルまたは第２のサブチャネルを介して第２の物理層モジュールを用いて、第１のクライアントステーションからデータを送信させるべく、そして、（ｉｉ）第１のクライアントステーションがアクセスポイントにデータを送信している間、チャネルを介して第２のクライアントステーションがデータを送信しないようにさせるべく、アクセスポイントから応答を送信する段階を備える。
【００６４】
他の特徴を挙げると、当該方法はさらに、アクセスポイントの第３の物理層モジュールを用いて、第１のサブチャネルおよび第２のサブチャネルを介して第１のデータレートで通信する段階と、アクセスポイントの第４の物理層モジュールを用いて、（ｉ）第１のサブチャネルまたは（ｉｉ）第２のサブチャネルを介して、第２のデータレートで通信する段階を備える。当該方法はさらに、（ｉ）第４の物理層モジュールのみ、（ｉｉ）第３の物理層モジュールおよび第４の物理層モジュール、（ｉｉｉ）ギャップおよび第４のパケットが後に続く第３のパケットの送信、および（ｉｖ）ギャップおよび第３のパケットが後に続く第４のパケットの送信のうち１つを用いてアクセスポイントから応答を送信する段階を備える。第３のパケットは、第１のデータレートで生成され、ペイロードを含まないがプリアンブルを含む。プリアンブルは、データをアクセスポイントに送信するべくチャネルが第１のクライアントステーションのために確保されている期間を含み、第４のパケットは、第２のデータレートで生成され、ペイロードを含む。
【００６５】
さらに他の特徴を挙げると、システムは、物理層モジュールと、処理モジュールとを備える。物理層モジュールは、チャネルを介して第１のデータレートで通信する。当該チャネルは、（ｉ）第１のサブチャネルおよび（ｉｉ）第２のサブチャネルを有する。物理層モジュールはさらに、（ｉ）第１のサブチャネルおよび（ｉｉ）第２のサブチャネルを介して第１のデータレートで送信される第１のプリアンブルを含む第１のパケットを受信し、（ｉ）第１のサブチャネルまたは（ｉｉ）第２のサブチャネルを介して第２のデータレートで送信される第２のプリアンブルを含む第２のパケットを受信する。第２のデータレートは、第１のデータレートより低い。処理モジュールは、（ｉ）第１のデータレートで送信される第１のプリアンブルおよび（ｉｉ）第２のデータレートで送信される第２のプリアンブルの少なくとも一部分を処理する。
【００６６】
他の特徴を挙げると、処理モジュールは、（ｉ）第１のサブチャネルまたは（ｉｉ）第２のサブチャネルを介して送信される第２のプリアンブルの少なくとも一部分を検出することに応じて、チャネルがビジー状態であると判断する。
【００６７】
他の特徴を挙げると、システムはさらに、チャネルのエネルギーレベルを検出し、エネルギーレベルが所定のしきい値以上であることに応じてチャネルがビジー状態であると判断するエネルギー検出モジュールを備える。
【００６８】
他の特徴を挙げると、第１のプリアンブルは、（ｉ）第１の周期性を持つ第１のショートトレーニングフィールドおよび（ｉｉ）第１の残余部分を含み、第２のプリアンブルは、（ｉ）第２の定期性を持つ第２のショートトレーニングフィールドおよび（ｉｉ）第２の残余部分を含み、第２の定期性は、第１の定期性を１以上の整数で除算した結果に等しく、第１の残余部分は、第２の残余部分とは異なる。
【００６９】
他の特徴を挙げると、第１のショートトレーニングフィールドおよび第２のショートトレーニングフィールドはそれぞれ、（ｉ）第１のデータレートで送信された第１のプリアンブルおよび（ｉｉ）第２のデータレートで送信される第２のプリアンブルの少なくとも一部分を処理するべく処理モジュールをアクティブ化する。
【００７０】
他の特徴を挙げると、第２の残余部分は、信号フィールドを含み、処理モジュールは、信号フィールドを処理し、信号フィールドの処理に基づいて第２のパケットの期間を決定し、当該期間にわたってチャネルへのアクセスを保留する。
【００７１】
他の特徴を挙げると、第２の残余部分は、（ｉ）ロングトレーニングフィールドおよび（ｉｉ）第１の信号フィールドを含み、処理モジュールは、（ｉ）第２のショートトレーニングフィールドおよび（ｉｉ）ロングトレーニングフィールドを処理する。処理モジュールが第１の信号フィールドを処理することが不可能であることに応じて、処理モジュールは、処理モジュールが第１のプリアンブルの第２の信号フィールドを検出するまで、処理モジュールがネットワークアロケーションベクトルを設定するためのフレームシーケンスを検出するまで、または、（ｉ）第２のパケットもしくは（ｉｉ）一の送信シーケンスの期間に対応する所定の期間の終了まで、チャネルへのアクセスを保留する。
【００７２】
他の特徴を挙げると、処理モジュールは、第１の所定の期間にわたってチャネルへのアクセスを保留し、第１の所定の期間の終了時にチャネルをアクセスし、第１の所定の期間の終了時にチャネルへのアクセスを得た後に、第２の所定の期間にわたってチャネルにアクセスする。第１の所定の期間および第２の所定の期間は、第２のパケットを送信するデバイスに割り当てる所定のデューティーサイクルに基づいて決まる。当該デバイスは、第１の所定の期間にわたってチャネルにアクセスし、第２の所定の期間にわたってチャネルにアクセスしない。
【００７３】
他の特徴を挙げると、システムはさらに、第２のパケットのエネルギーレベルを検出するエネルギー検出モジュールを備える。処理モジュールは、エネルギーレベルが所定のしきい値以上であることに応じて、チャネルへのアクセスを保留する。
【００７４】
他の特徴を挙げると、システムはさらに、第２のパケットのエネルギーレベルを検出するエネルギー検出モジュールを備える。処理モジュールは、エネルギーレベルが（ｉ）所定のエネルギー検出しきい値以上であり、（ｉｉ）プリアンブル検出しきい値以下であることに応じて、チャネルへのアクセスを保留する。
【００７５】
他の特徴を挙げると、処理モジュールは、所定の期間にわたってチャネルへのアクセスを保留する。これは、当該所定の期間の終了前に、処理モジュールが（ｉ）第１のプリアンブルの信号フィールドから第１のパケットを、もしくは、第２のプリアンブルの信号フィールドから第２のパケットの期間を、または、（ｉｉ）ネットワークアロケーションベクトル期間を検出しない場合に行われる処理である。
【００７６】
他の特徴を挙げると、第２のプリアンブルは、ショートトレーニングフィールドを含み、（ｉ）第１のデータレートでチャネルを介して第１のプリアンブルを、および、（ｉｉ）第２のデータレートで第１のサブチャネルまたは第２のサブチャネルを介して第２のプリアンブルを、送信するデバイスによって送信される。ショートトレーニングフィールドの長さは、第２のデータレートにおけるデバイスからの送信が複数回失敗したことに応じて増加する。システムはさらに、第２のパケットのエネルギーレベルを検出するエネルギー検出モジュールを備える。処理モジュールは、ショートトレーニングフィールドの長さが増加したと検出することに応じてチャネルへのアクセスを保留するか、または、（ｉ）エネルギーレベルが所定のしきい値以上であること、および、（ｉｉ）長さが大きくなったショートトレーニングフィールドが検出されないことに応じてチャネルへのアクセスを保留する。
【００７７】
他の特徴を挙げると、システムはさらに、第２のパケットのエネルギーレベルを検出するエネルギー検出モジュールを備える。処理モジュールは、（ｉ）エネルギーレベルが所定のしきい値以上であり、且つ（ｉｉ）第２のプリアンブルが検出されないことに応じて、チャネルへのアクセスを保留する。エネルギーレベルに基づきチャネルへのアクセスを得た後、処理モジュールはさらに、（ｉ）第１の所定の期間にわたってチャネルにアクセスし、（ｉｉ）第１の所定の期間の終了後にチャネルへのアクセスを停止し、（ｉｉｉ）第１の所定の期間の終了後に第２の所定の期間にわたってチャネルにアクセスせず、第１の所定の期間および第２の所定の期間は、所定のデューティーサイクルに基づいて決まる。
【００７８】
さらに他の特徴を挙げると、方法は、物理層モジュールを用いてチャネルを介して第１のデータレートで通信する段階を備える。尚、チャネルは、（ｉ）第１のサブチャネルおよび（ｉｉ）第２のサブチャネルを含む。当該方法はさらに、物理層モジュールを用いて、（ｉ）第１のサブチャネルおよび（ｉｉ）第２のサブチャネルを介して、第１のデータレートで送信される第１のプリアンブルを含む第１のパケットを受信する段階を備える。当該方法はさらに、物理層モジュールを用いて、（ｉ）第１のサブチャネルまたは（ｉｉ）第２のサブチャネルを介して第２のデータレートで送信される第２のプリアンブルを含む第２のパケットを受信する段階を備える。第２のデータレートは、第１のデータレートより低い。当該方法はさらに、（ｉ）第１のデータレートで送信される第１のプリアンブルおよび（ｉｉ）第２のデータレートで送信される第２のプリアンブルの少なくとも一部分を処理する段階を備える。
【００７９】
他の特徴を挙げると、当該方法はさらに、（ｉ）第１のサブチャネルまたは（ｉｉ）第２のサブチャネルを介して送信される第２のプリアンブルの少なくとも一部分を検出することに応じて、チャネルがビジー状態であると決定する段階を備える。
【００８０】
他の特徴を挙げると、当該方法はさらに、チャネルにおけるエネルギーレベルを検出し、エネルギーレベルが所定のしきい値以上であることに応じて、チャネルがビジー状態であることを決定する段階を備える。
【００８１】
他の特徴を挙げると、第１のプリアンブルは、（ｉ）第１の定期性を持つ第１のショートトレーニングフィールドおよび（ｉｉ）第１の残余部分を含み、第２のプリアンブルは、（ｉ）第２の定期性を持つ第２のショートトレーニングフィールドおよび（ｉｉ）第２の残余部分を含み、第２の定期性は、第１の定期性を１以上の整数で除算した結果に等しく、第１の残余部分は、第２の残余部分とは異なる。
【００８２】
他の特徴を挙げると、第１のショートトレーニングフィールドおよび第２のショートトレーニングフィールドはそれぞれ、（ｉ）第１のデータレートで送信される第１のプリアンブルの処理、および、（ｉｉ）第２のデータレートで送信される第２のプリアンブルの少なくとも一部分の処理をアクティブ化する。
【００８３】
他の特徴を挙げると、第２の残余部分は信号フィールドを含み、上記の方法はさらに、信号フィールドを処理する段階と、信号フィールドの処理に基づいて第２のパケットの期間を決定する段階と、当該期間にわたってチャネルへのアクセスを保留する段階とを備える。
【００８４】
他の特徴を挙げると、第２の残余部分は、（ｉ）ロングトレーニングフィールド、および、（ｉｉ）第１の信号フィールドを含み、上記の方法はさらに、（ｉ）第２のショートトレーニングフィールドおよび（ｉｉ）ロングトレーニングフィールドを処理する段階を備える。上記の方法はさらに、第１の信号フィールドを処理できないことに応じて、第１のプリアンブルの第２の信号フィールドを検出するまで、ネットワークアロケーションベクトルを設定するためのフレームシーケンスを検出するまで、または、（ｉ）第２のパケットまたは（ｉｉ）単一の送信シーケンスの期間に対応する所定の期間の終了まで、チャネルへのアクセスを保留する段階とを備える。
【００８５】
他の特徴を挙げると、上記の方法はさらに、第１の所定の期間にわたってチャネルへのアクセスを保留する段階と、第１の所定の期間の終了時にチャネルにアクセスする段階と、第１の所定の期間の終了時にチャネルへのアクセスを得た後に、第２の所定の期間にわたってチャネルにアクセスする段階とを備える。第１の所定の期間および第２の所定の期間は、第２のパケットを送信するデバイスに割り当てられている所定のデューティーサイクルに基づいて決まる。当該デバイスは、第１の所定の期間にわたってチャネルにアクセスし、第２の所定の期間においてチャネルにアクセスしない。
【００８６】
他の特徴を挙げると、上記の方法はさらに、第２のパケットのエネルギーレベルを検出する段階と、エネルギーレベルが所定のしきい値以上であることに応じてチャネルへのアクセスを保留する段階とを備える。
【００８７】
他の特徴を挙げると、上記の方法はさらに、第２のパケットのエネルギーレベルを検出する段階と、エネルギーレベルが、（ｉ）所定のエネルギー検出しきい値以上、および、（ｉｉ）プリアンブル検出しきい値以下であることに応じて、チャネルへのアクセスを保留する段階とを備える。
【００８８】
他の特徴を挙げると、当該方法はさらに、所定の期間にわたってチャネルへのアクセスを保留する段階を備える。これは、当該所定の期間の終了前に、（ｉ）第１のパケットもしくは第２のパケットの期間が第１のプリアンブルもしくは第２のプリアンブルの信号フィールドから検出されない場合、または、（ｉｉ）ネットワークアロケーションベクトル期間が検出されない場合の処理である。
【００８９】
他の特徴を挙げると、第２のプリアンブルは、ショートトレーニングフィールドを含み、（ｉ）第１のデータレートでチャネルを介して第１のプリアンブルを送信し、および、（ｉｉ）第２のデータレートで第１のサブチャネルまたは第２のサブチャネルを介して第２のプリアンブルを送信するデバイスによって送信され、ショートトレーニングフィールドの長さは、デバイスからの第２のデータレートでの送信が複数回失敗したことに応じて増加する。上記の方法はさらに、第２のパケットのエネルギーレベルを検出する段階と、ショートトレーニングフィールドの長さが増大したと検出することに応じて、または、（ｉ）エネルギーレベルが所定のしきい値以上であること、および、（ｉｉ）ショートトレーニングフィールドの長さが増大したと検出されないことに応じて、チャネルへのアクセスを保留する段階とを備える。
【００９０】
他の特徴を挙げると、上記の方法はさらに、第２のパケットのエネルギーレベルを検出する段階と、（ｉ）エネルギーレベルが所定のしきい値以上であること、および、（ｉｉ）第２のプリアンブルが検出されないことに応じて、チャネルへのアクセスを保留する段階とを備える。上記の方法はさらに、エネルギーレベルに基づいてチャネルへのアクセスを得た後に、（ｉ）第１の所定の期間にわたってチャネルにアクセスする段階、（ｉｉ）第１の所定の期間の終了後にチャネルへのアクセスを停止する段階、および、（ｉｉｉ）第１の所定の期間の終了後に第２の所定の期間にわたってチャネルにアクセスしない段階とを備え、第１の所定の期間および第２の所定の期間は、所定のデューティーサイクルに基づいて決まる。
【００９１】
さらに他の特徴を挙げると、クライアントステーションは、ミッドアンブル検出モジュールと、処理モジュールとを備える。ミッドアンブル検出モジュールは、チャネルを介して送信されるパケットのミッドアンブルを検出する。パケットは、（ｉ）プリアンブルと、（ｉｉ）ミッドアンブルと、（ｉｉｉ）複数のデータフィールドとを含み、プリアンブルは、（ｉ）第１のショートトレーニングフィールドと、（ｉｉ）第１のロングトレーニングフィールドと、（ｉｉｉ）信号フィールドとを含む。ミッドアンブルは、（ｉ）第２のショートトレーニングフィールドと、（ｉｉ）第２のロングトレーニングフィールドとを含む。ミッドアンブルは、プリアンブルの後に位置しており、データフィールドのうち２以上の間に位置している。処理モジュールは、パケットにミッドアンブルがあると検出することに応じて、チャネルがビジー状態であると判断する。
【００９２】
他の特徴を挙げると、パケットにおいて所定数のデータシンボル毎にミッドアンブルが続いて存在することに応じて、クライアントステーションはさらに、省電力モジュールを備える。省電力モジュールは、（ｉ）所定数のデータシンボルまたは（ｉｉ）所定数のデータシンボルの倍数の期間にわたって省電力モードでクライアントステーションを動作させ、当該期間の後にクライアントステーションをウェイク状態にする。処理モジュールは、クライアントステーションがウェイク状態になった後、パケット内にミッドアンブルを検出することに応じてチャネルがビジー状態であると判断する。
【００９３】
他の特徴を挙げると、パケットにおいてミッドアンブルが検出されないことに応じて、処理モジュールは、プリアンブルを検出することに応じてチャネルがビジー状態であるか否かを判断する。
【００９４】
他の特徴を挙げると、クライアントステーションはさらに、チャネルの（ｉ）第１のサブチャネルまたは（ｉｉ）第２のサブチャネルを介して第１のデータレートで通信する物理層モジュールを備える。ミッドアンブル検出モジュールは、（ｉ）第１のサブチャネルおよび（ｉｉ）第２のサブチャネルを介して第２のデータレートでミッドアンブルが送信されることに応じて、（ｉ）第１のサブチャネルまたは（ｉｉ）第２のサブチャネルにおいてミッドアンブルを検出する。第２のデータレートは、第１のデータレートよりも高い。処理モジュールは、（ｉ）第１のサブチャネルまたは（ｉｉ）第２のサブチャネルにおいてミッドアンブルが検出されることに応じて、第２のデータレートにおける送信がチャネル内で進行中であると判断し、チャネルにアクセスしないと判断する。
【００９５】
さらに他の特徴を挙げると、方法は、チャネルを介して送信されるパケットのミッドアンブルを検出する段階を備える。当該パケットは、（ｉ）プリアンブルと、（ｉｉ）ミッドアンブルと、（ｉｉｉ）複数のデータフィールドとを含み、プリアンブルは、（ｉ）第１のショートトレーニングフィールドと、（ｉｉ）第１のロングトレーニングフィールドと、（ｉｉｉ）信号フィールドとを含む。ミッドアンブルは、（ｉ）第２のショートトレーニングフィールドと、（ｉｉ）第２のロングトレーニングフィールドとを含む。ミッドアンブルは、プリアンブルの後に位置しており、データフィールドのうち２以上の間に位置している。当該方法はさらに、パケットにおいてミッドアンブルを検出することに応じて、チャネルがビジー状態であると判断する段階を備える。
【００９６】
他の特徴を挙げると、パケットにおいて所定数のデータシンボル毎にミッドアンブルが続いて存在することに応じて、上記の方法はさらに、（ｉ）所定数のデータシンボルまたは（ｉｉ）所定数のデータシンボルの倍数の期間にわたって省電力モードでクライアントステーションを動作させる段階と、当該期間の後にクライアントステーションをウェイク状態にする段階と、クライアントステーションがウェイク状態になった後、パケット内にミッドアンブルを検出することに応じてチャネルがビジー状態であると判断する段階とを備える。
【００９７】
他の特徴を挙げると、当該方法はさらに、パケットにおいてミッドアンブルが検出されないことに応じて、プリアンブルを検出することに応じてチャネルがビジー状態であるか否かを判断する段階を備える。
【００９８】
他の特徴を挙げると、上記の方法はさらに、物理層モジュールを用いて、チャネルの（ｉ）第１のサブチャネルまたは（ｉｉ）第２のサブチャネルを介して第１のデータレートで通信する段階と、（ｉ）第１のサブチャネルおよび（ｉｉ）第２のサブチャネルを介して第２のデータレートでミッドアンブルが送信されることに応じて、（ｉ）第１のサブチャネルまたは（ｉｉ）第２のサブチャネルにおいてミッドアンブルを検出する段階とを備え、第２のデータレートは、第１のデータレートよりも高い。当該方法はさらに、（ｉ）第１のサブチャネルまたは（ｉｉ）第２のサブチャネルにおいてミッドアンブルが検出されることに応じて、第２のデータレートにおける送信がチャネル内で進行中であると判断し、チャネルにアクセスしないと判断する段階を備える。
【００９９】
本開示内容を適用するその他の分野については、詳細な説明、請求項および図面から明らかになるであろう。詳細な説明および具体的な例は、説明を目的として紹介されているに過ぎず、本開示の範囲を限定するものではない。
【図面の簡単な説明】
【０１００】
詳細な説明および添付図面に基づき本開示の理解を深められたい。添付図面は以下の通りである。
【０１０１】
【図１】屋内ネットワークおよび屋外ネットワークを含む使用事例の例を示す表である。
【０１０２】
【図２Ａ】通常レートプリアンブルを含むパケットの一例を示す図である。
【０１０３】
【図２Ｂ】低レートプリアンブルを含むパケットの一例を示す図である。
【０１０４】
【図３】アクセスポイントおよび複数のクライアントステーションを含むネットワークを示す機能ブロック図である。
【０１０５】
【図４】低レートプリアンブルにプリペンドされている通常レートプリアンブルを含む低レートパケットの一例を示す図である。
【０１０６】
【図５】通常レートプリアンブルにプリペンドされている低レートプリアンブルを含む通常レートパケットの一例を示す図である。
【０１０７】
【図６】複数のミッドアンブルを含むパケットの一例を示す図である。
【０１０８】
【図７Ａ】重複する複数のベーシックサービスセットの一例を示す図であり、ベーシックサービスセットは、通常レート物理層ネットワークデバイスを含む。
【０１０９】
【図７Ｂ】重複する複数のベーシックサービスセットの一例を示す図であり、ベーシックサービスセットは、通常レート物理層ネットワークデバイスおよび低レート物理層ネットワークデバイスを含む。
【０１１０】
【図８】ネットワークデバイスを示す機能ブロック図である。
【０１１１】
【図９Ａ】通常レートおよび低レートで動作するハイブリッド物理層を含むネットワークデバイスを示す機能ブロック図である。
【０１１２】
【図９Ｂ】通常レート物理層および低レート物理層を含むネットワークデバイスを示す機能ブロック図である。
【０１１３】
【図１０】エネルギー検出を実行可能なクライアントステーションを示す機能ブロック図である。
【０１１４】
【図１１】ミッドアンブルを検出可能なクライアントステーションを示す機能ブロック図である。
【０１１５】
【図１２】本開示に係るパケットを送信する方法を説明するためのフローチャートである。
【０１１６】
【図１３Ａ】本開示に応じた、受信したパケットを処理する方法を説明するためのフローチャートを示す図である。
【図１３Ｂ】本開示に応じた、受信したパケットを処理する方法を説明するためのフローチャートを示す図である。
【０１１７】
【図１４Ａ】本開示に応じた、隠れ端末問題を解決するための方法を説明するフローチャートである。
【図１４Ｂ】本開示に応じた、隠れ端末問題を解決するための方法を説明するフローチャートである。
【０１１８】
【図１５Ａ】本開示に応じた、共存問題を解決するための方法を説明するフローチャートである。
【図１５Ｂ】本開示に応じた、共存問題を解決するための方法を説明するフローチャートである。
【０１１９】
【図１６】本開示に応じた、共存問題を解決するための方法を説明するフローチャートである。
【０１２０】
【図１７Ａ】本開示に応じた、機能が異なる複数のデバイスの共存を実現するための方法を説明するためのフローチャートである。
【図１７Ｂ】本開示に応じた、機能が異なる複数のデバイスの共存を実現するための方法を説明するためのフローチャートである。
【図１７Ｃ】本開示に応じた、機能が異なる複数のデバイスの共存を実現するための方法を説明するためのフローチャートである。
【０１２１】
【図１８】本開示に応じた、ミッドアンブルを利用する無線ネットワークにおける通常レート物理層および低レート物理層の共存を実現するための方法を説明するフローチャートである。
【発明を実施するための形態】
【０１２２】
８０２．１１ａｈ規格および８０２．１１ａｆ規格で定められた通常データレートで動作する物理層（ＰＨＹ）デバイスは、通常レートＰＨＹと呼ばれる。低レートＰＨＹは、通常データレートよりも低いデータレートで動作し、例えば、長距離ＷｉＦｉネットワークおよびセンサネットワークにおいて利用可能である。例えば、低レートＰＨＹは、８０２．１１ａｈ規格および８０２．１１ａｆ規格に準拠しており、サブギガ（Ｓｕｂ−１ＧＨｚ）周波数帯域で動作するデバイスで利用可能である。後述する利用事例の例は、通常レートＰＨＹおよび低レートＰＨＹが共存可能であることを示している。つまり、デバイスは、通常レートＰＨＹおよび低レートＰＨＹの両方を含むことが可能である。これに代えて、通常レートＰＨＹのみを含むデバイスおよび低レートＰＨＹのみを含むデバイスは、一のネットワーク内で共存可能である。
【０１２３】
本開示は、通常レートＰＨＹおよび低レートＰＨＹが共存可能となるプリアンブル構成に関する。具体的に説明すると、そのようなプリアンブル構成によって、通常レートＰＨＹおよび低レートＰＨＹは、自動的にプリアンブルを検出し、検出したプリアンブルが検出を行ったデバイスのためのものでない場合には、保留（つまり、バックオフ）する。したがって、当該プリアンブル構成は、共存が原因で発生する干渉を最小限に抑えることができる。
【０１２４】
図１は、屋内ネットワークおよび屋外ネットワークを含む利用事例の例を示す図である。利用事例１ａから１ｈは、センサおよびメータを備えるネットワークを含む。利用事例２ａ、２ｂは、バックホールセンサおよびメータデータを備えるネットワークを含む。利用事例３ａ、３ｂは、範囲を拡大したＷｉＦｉネットワークを含む。これらの利用事例で用いているネットワークは、屋内環境および／または屋外環境で展開するとしてよい。
【０１２５】
図１は、ネットワーク毎に、送信範囲、データレート、リンクバジェット、電力レベル、および、ネットワークがモバイルデバイスを含むか否かを示している。リンクバジェットは、プリアンブルのロバスト性を示す。例えば、リンクバジェットが高いということは、ロバストなプリアンブルが必要であることを意味している。低レートプリアンブルは、通常レートプリアンブルよりもロバスト性が高い。これは、低レート送信は、通常データレート送信よりも通信可能距離が長いため（このため、ロバスト性も高いため）である。したがって、リンクバジェットが高いということは、低レートプリアンブルが必要であるという意味であり、通常データレートよりも低いレートでデータを送信する低レートＰＨＹを利用する必要がある。リンクバジェットが通常であるということは、通常レートプリアンブルが必要であるという意味であり、仕様に応じた通常データレートでデータを送信する通常レートＰＨＹを利用する必要がある。低レートＰＨＹおよび通常レートＰＨＹ、ならびに、低レートプリアンブルおよび通常レートプリアンブルについては、詳細に後述する。
【０１２６】
一の利用事例のリンクバジェットおよびデータレートに関する要件によって、ネットワークに含まれるデバイスが低レートＰＨＹおよび低レートプリアンブルを利用可能か、または、通常レートＰＨＹおよび通常レートプリアンブルを利用可能かが決まる。例えば、利用事例１ｆおよび１ｈのネットワークに含まれるデバイスは低レートＰＨＹを利用するとしてよく、利用事例１ｇおよび３ａのネットワークに含まれるデバイスは通常レートＰＨＹを利用するとしてよく、利用事例１ａおよび１ｄのネットワークに含まれるデバイスは低レートＰＨＹを利用するとしてよく、利用事例３ａおよび３ｂのネットワークに含まれるデバイスは通常レートＰＨＹを利用するとしてよく、以下同様である。したがって、低レートＰＨＹおよび通常レートＰＨＹは、屋内環境および屋外環境において共存が可能である。
【０１２７】
アクセスポイント（ＡＰ）は、ネットワークに含まれ、複数の利用事例でサービスを提供しているデバイス（ステーションまたはＳＴＡ）と通信を行うとしてよい。ＡＰは、一の群のデバイスとの間で低レートＰＨＹを用いてデータの送受信を行うとしてよく、別の群のデバイスとの間では通常レートＰＨＹを用いてデータの送受信を行うとしてよい。ＳＴＡは、プリアンブルの検出および保留を行わない場合、互いの送信が干渉する可能性がある。ＳＴＡは、干渉を最小限に抑えると共に良好な共存環境を実現するべくプリアンブルの検出に基づいて保留を行うべきである。したがって、ＳＴＡは、通常レートプリアンブル形式および低レートプリアンブル形式の両方をサポートする必要がある。
【０１２８】
図２Ａおよび図２Ｂを参照すると、通常レートプリアンブルを含むパケットおよび低レートプリアンブルを含むパケットの例を示している。図２Ａでは、通常レートプリアンブルを含むパケット１００の一例を図示している。パケット１００は、規格で定められている通常データレートでデータを搬送し、通常レートパケットと呼ぶとしてよい。一例に過ぎないが、図示している通常レートプリアンブルは、グリーンフィールドモードプリアンブルである。グリーンフィールドモードプリアンブルは、レガシーデバイスに対して後方互換性を持たせるためのレガシー部分を含んでいないプリアンブルである。通常レートプリアンブルは、ショートトレーニングフィールド（ＳＴＦ）、ロングトレーニングフィールド（ＬＴＦ１）、信号フィールドＳＩＧ１およびＳＩＧ２（まとめてＳＩＧフィールドと呼ぶ）を含み、残りのＬＴＦは、他のデータストリーム（例えば、多入力多出力（ＭＩＭＯ）ストリーム）用である。通常レートプリアンブルの後には、非常に高いスループットのデータ（ＶＨＴデータ）が続いている。
【０１２９】
パケット１００を受信する受信機は、パケット１００を処理するべく、パケット検出、粗い周波数同期、そして、受信機の自動ゲイン制御（ＡＧＣ）のゲインの設定について、通常レートプリアンブルのＳＴＦを利用する。ＬＴＦ（例えば、ＬＴＦ１および残りのＬＴＦ）は、チャネル推定および細かい周波数同期について利用される。ＳＩＧフィールド（例えば、ＳＩＧ１およびＳＩＧ２）は、パケット１００に含まれるデータを変調するために用いられる変調符号化方式（ＭＣＳ）等の一連のＰＨＹパラメータを受信機に対して指定するべく用いられる。したがって、受信機は、通常レートプリアンブルに基づいてパケット１００に含まれるデータを処理することができる。
【０１３０】
図２Ｂにおいて、低レートプリアンブルを含むパケット１５０の一例を図示している。パケット１５０は、規格で定められている通常レートよりも低いレートでデータを搬送し、低レートパケットと呼ばれるとしてよい。一例に過ぎないが、図示している低レートプリアンブルもまた、グリーンフィールドモードプリアンブルである。低レートプリアンブルは、フィールドの署名が通常レートプリアンブルとは異なる。低レートプリアンブルは、低レートショートトレーニングフィールド（ＬＲ−ＳＴＦ）、低レートロングトレーニングフィールド（ＬＲ−ＬＴＦ１）、ならびに、低レート信号フィールドＬＲ−ＳＩＧ１およびＬＲ−ＳＩＧ２（まとめて、ＬＲ−ＳＩＧフィールドと呼ぶ）を含み、残りの低レートＬＴＦ（ＬＲ−ＬＴＦ）は他のデータストリーム用である。低レートプリアンブルの後には、ＶＨＴデータが続く。パケット１５０を受信する受信機は、低レートプリアンブルのフィールドを利用して、パケット１００に関して上述したのと同様の方法でパケット１５０を処理する。
【０１３１】
図３を参照すると、アクセスポイント（ＡＰ）２００は、ステーションＳＴＡ１  ２０２およびＳＴＡ２  ２０４と通信を行うとしてよい。ステーションＳＴＡ１  ２０２は、ステーションＳＴＡ２  ２０４よりも、ＡＰ２００から離れているとしてよい。したがって、ＡＰ２００は、ステーションＳＴＡ１  ２０２へ送信する場合には低レートＰＨＹを利用し、ステーションＳＴＡ２  ２０４へと送信を行う場合には通常レートＰＨＹを利用するとしてよい。各パケットには、通常レートプリアンブルおよび低レートプリアンブルに含まれるＳＩＧフィールドの１つに、パケットの長さおよび／または期間を示す長さ／期間フィールドが含まれる。パケットが自分宛てでないとステーションが判断すると、当該ステーションは、長さ／期間フィールドが示す期間にわたって媒体にアクセスしない（つまり、保留する）。
【０１３２】
通常、ＡＰ２００が低レートプリアンブルを含むパケットをステーションＳＴＡ１  ２０２に送信する場合、ステーションＳＴＡ２  ２０４は、低レートプリアンブルをデコードできない。これは、ステーションＳＴＡ２  ２０４の受信機は、通常レートでのみ動作可能である場合、低レートプリアンブルのフィールドＬＲ−ＳＴＦ、ＬＲ−ＬＴＦ１等を用いてトレーニングを行えないからである。したがって、ステーションＳＴＡ２  ２０４は、低レートプリアンブルに含まれるＬＲ−ＳＩＧフィールドをデコードできず、保留もできない。代わりに、ステーションＳＴＡ２  ２０４は、エネルギー検出に基づいてパケットがステーションＳＴＡ２  ２０４宛てであるか否かを判断しようと試みる。しかし、エネルギー検出に基づく保留は、ＳＩＧフィールド検出に基づく保留よりも、ロバスト性が低い。
【０１３３】
したがって、ステーションＳＴＡ２  ２０４は、ＡＰ２００がステーションＳＴＡ１  ２０２に送信している間に、ＡＰ２００に送信しようと試みるとしてよい。同様に、ステーションＳＴＡ２  ２０４は、ステーションＳＴＡ１  ２０２が低レートＰＨＹを用いてＡＰ２００に送信している場合に検出することが出来ないとしてよい。したがって、ステーションＳＴＡ２  ２０４は、媒体が空いていると誤認して、ステーションＳＴＡ１  ２０２が低レートＰＨＹを用いてＡＰ２００に送信している間にＡＰ２００に送信しようと試みる可能性がある。
【０１３４】
図４を参照すると、通常レートプリアンブルの一部分は、低レートＰＨＹを用いてパケットを送信する場合、低レートプリアンブルにプリペンドすることができる。例えば、通常レートプリアンブルのＳＴＦ、ＬＴＦ１およびＳＩＧ（例えば、ＳＩＧ１および／またはＳＩＧ２）フィールドは、低レートＰＨＹを用いてパケットを送信する場合、低レートプリアンブルにプリペンドすることが可能である。ＡＰ２００が低レートＰＨＹを用いてパケット２５０をステーションＳＴＡ１  ２０２へ送信すると考える。パケット２５０は、図示しているように、低レートプリアンブルと、低レートプリアンブルにプリペンドされている通常レートプリアンブルの一部分とを共に含む。
【０１３５】
ステーションＳＴＡ２  ２０４は、通常レートプリアンブルの一部分に含まれるＳＴＦ、ＬＴＦ１およびＳＩＧフィールドをデコードすることができる。通常レートプリアンブルの一部分に含まれるＳＩＧフィールドは、パケット２５０の残余部分（つまり、低レートプリアンブルおよびＶＨＴデータ部分）の長さおよび／または期間を示す。また、通常レートプリアンブルの一部分に含まれるＳＩＧフィールドは、パケットの宛先であるステーションの識別子（ＩＤ）（例えば、ステーションＳＴＡ１  ２０２）のＩＤ）を含む。したがって、通常レートプリアンブルの一部分に含まれるＳＩＧフィールドに基づき、ステーションＳＴＡ２  ２０４は、パケット２５０が、通常レートプリアンブルの一部分を含むにも関わらず、ステーションＳＴＡ２  ２０４を宛先とはしていないと判断して、ＳＩＧフィールドが示す期間にわたって保留する。
【０１３６】
ステーションＳＴＡ１  ２０２は、ステーションＳＴＡ１  ２０２はＡＰ２００からより離れているので、そして、通常レートプリアンブルは低レートプリアンブルよりもロバスト性が低いので、通常レートプリアンブルの一部分を受信するとしてもよいし、しないとしてもよい。ステーションＳＴＡ１  ２０２が通常レートプリアンブルの一部分を受信しない場合、ステーションＳＴＡ１  ２０２は、低レートプリアンブルに基づき、低レートプリアンブルを処理して、パケット２５０を処理するとしてよい。例えば、ステーションＳＴＡ１  ２０２は、ＬＲ−ＳＩＧフィールド内で示されているパケット２５０がステーションＳＴＡ１  ２０２を宛先としないが、低レートＰＨＹを持つ別のステーションを宛先とする場合、パケット２５０の残余部分の期間に基づき保留するとしてよい。
【０１３７】
ステーションＳＴＡ１  ２０２が通常レートプリアンブルの一部分を受信する場合、ステーションＳＴＡ１  ２０２は、通常レートプリアンブルの一部分のＳＩＧフィールドに含まれているＩＤに基づき、パケット２５０がステーションＳＴＡ１  ２０２を宛先とするか否かを判断することができる。また、通常レートプリアンブルの一部分のＳＩＧフィールドは、パケット２５０が共存タイプパケットである（つまり、パケット２５０は、ＳＩＧフィールドに続く低レートプリアンブルを含み、低レートＰＨＹを持つステーションを宛て先とする）か否かを示すビットを含むことができる。したがって、ステーションＳＴＡ１  ２０２は、パケット２５０がステーションＳＴＡ１  ２０２を宛先としない場合、低レートプリアンブルを処理して、ＬＲ−ＳＩＧフィールドに示されている期間にわたって保留することができる。
【０１３８】
ステーションＳＴＡ１  ２０２はさらに、ＡＰ２００に送信する場合にもパケット２５０と同様のパケットを送信することができる。このため、ステーションＳＴＡ２  ２０４は、通常レートプリアンブルの一部分に基づき検出、デコードおよび保留を行うことができる。
【０１３９】
図５を参照すると、低レートプリアンブルの一部分は、通常レートＰＨＹを用いてパケットを送信する場合、通常レートプリアンブルにプリペンドすることができる。例えば、低レートプリアンブルのＬＲ−ＳＴＦ、ＬＲ−ＬＴＦ１およびＬＲ−ＳＩＧ（例えば、ＬＲ−ＳＩＧ１および／またはＬＲ−ＳＩＧ２）フィールドは、パケットを通常レートＰＨＹを用いて送信する場合、通常レートプリアンブルにプリペンドすることができる。ＡＰ２００が通常レートＰＨＹを用いてパケット３００をステーションＳＴＡ２  ２０４に送信すると考える。パケット３００は、図示しているように、通常レートプリアンブルと、通常レートプリアンブルにプリペンドされている低レートプリアンブルの一部分とを共に含む。
【０１４０】
ステーションＳＴＡ１  ２０１は、低レートプリアンブルの一部分に含まれているＬＲ−ＳＴＦ、ＬＲ−ＬＴＦ１およびＬＲ−ＳＩＧフィールドをデコードすることができる。低レートプリアンブルの一部分に含まれるＬＲ−ＳＩＧフィールドは、パケット３００の残余部分（つまり、通常レートプリアンブルおよびＶＨＴデータ部分）の長さおよび／または期間を示す。また、低レートプリアンブルの一部分に含まれるＬＲ−ＳＩＧフィールドは、パケットの宛先であるステーションのＩＤ（例えば、ステーションＳＴＡ２  ２０４のＩＤ）を含むとしてよい。したがって、低レートプリアンブルの一部分に含まれるＬＲ−ＳＩＧフィールドに基づき、ステーションＳＴＡ１  ２０２は、パケット３００が、低レートプリアンブルの一部分を持つにも関わらず、ステーションＳＴＡ１  ２０２を宛先としないと判断して、ＬＲ−ＳＩＧフィールドで示す期間にわたって保留する。
【０１４１】
ステーションＳＴＡ２  ２０４がパケット３００を処理する方法は、ステーションＳＴＡ２  ２０４が１ＭＨｚ動作をサポートするか否かに基づき、２通りに分かれる。ステーションＳＴＡ２  ２０４が１ＭＨｚ動作をサポートしていない場合、ステーションＳＴＡ２  ２０４は、パケット３００に含まれる低レートプリアンブルの一部分を無視して、通常レートプリアンブルを処理する。ステーションＳＴＡ２  ２０４は、ＳＩＧフィールドのＩＤが示すように、パケット３００がステーションＳＴＡ２  ２０４を宛先とするか否かに応じて、通常レートプリアンブルのＳＩＧフィールドに示されている期間にわたって保留するか否かを判断する。
【０１４２】
ステーションＳＴＡ２  ２０４が１ＭＨｚ動作をサポートする場合、ステーションＳＴＡ２  ２０４は、低レートプリアンブルの一部分を処理する。低レートプリアンブルの一部分に含まれるＬＲ−ＳＩＧフィールドは、パケットの宛て先であるステーションのＩＤ（例えば、ステーションＳＴＡ２  ２０４のＩＤ）を含むとしてよい。また、低レートプリアンブルのＬＲ−ＳＩＧフィールドは、パケット３００が共存タイプパケットであるか否か（つまり、パケット３００がＬＲ−ＳＩＧフィールドの後に通常レートプリアンブルを含み、通常レートＰＨＹを持つステーションを宛て先とするか）を示すビットを含むとしてよい。したがって、低レートプリアンブルに含まれるＬＲ−ＳＩＧフィールドに基づき、ステーションＳＴＡ２  ２０４は、パケット３００は、低レートプリアンブルの一部分を持っているにもかかわらず、通常レートＰＨＹを持つステーション（例えば、ステーションＳＴＡ２  ２０４）を宛先とすると判断するとしてよい。ステーションＳＴＡ２  ２０４は、パケット３００がステーションＳＴＡ２  ２０４を宛先としないが、通常レートＰＨＹを持つ別のステーションを宛先とする場合、通常レートプリアンブルを処理して、ＳＩＧフィールドが示す期間にわたって保留することができる。
【０１４３】
尚、通常レートプリアンブルおよび低レートプリアンブルの両方に含まれている信号フィールド（例えば、ＬＲ−ＳＩＧフィールドおよびＳＩＧフィールド）には、パケットの宛先であるステーションのＩＤおよびパケットの残余部分の期間が含まれているとしてよい。残余部分は、パケットのうち信号フィールドの後に続く部分である。したがって、ステーションＳＴＡ２  ２０４が１ＭＨｚ動作をサポートしている場合には、ステーションＳＴＡ２  ２０４は、ＬＲ−ＳＩＧフィールドまたはＳＩＧフィールドに含まれている期間情報およびＩＤに基づいて、保留するか否かを判断することができる。
【０１４４】
ステーションＳＴＡ２  ２０４はさらに、ＡＰ２００に送信する際にパケット３００と同様のパケットを送信することができる。このため、ステーションＳＴＡ１  ２０２は、低レートプリアンブルの一部分に基づいて、検出、デコードおよび保留を行うことができる。
【０１４５】
図３を再度参照すると、他の方法で共存を管理することもできる。図３において、ステーションＳＴＡ２  ２０４が通常レートＰＨＹを用いてＡＰ２００と通信を行う場合、ステーションＳＴＡ２  ２０４は、ステーションＳＴＡ１  ２０２の隠れ端末になる。ステーションＳＴＡ２  ２０４は、ステーションＳＴＡ１  ２０２からの送信に起因する干渉から、ステーションＳＴＡ２  ２０４の送信を保護するべく、さまざまな方式を採用するとしてよい。例えば、そのような方式としては、エネルギー検出、プリアンブル検出、期間検出およびＲＴＳ／ＣＴＳ（送信要求／送信可能）信号伝達が挙げられる。しかし、ステーションＳＴＡ２  ２０４からのこのような保護目的の送信（例えば、データを送信するための媒体を確保するべく、ＡＰ２００に送信される要求）はいずれも、ステーションＳＴＡ２  ２０４が通常レートＰＨＹを利用し、ステーションＳＴＡ１  ２０２が低レートＰＨＹを利用し遠く離れている場合には、ステーションＳＴＡ１  ２０２に到達しないとしてよい。結果として、ステーションＳＴＡ１  ２０２は、ステーションＳＴＡ２  ２０４が送信している間に、送信を開始するとしてよい。
【０１４６】
隠れ端末問題は、以下に説明するように、多くの方法で解決することができる。ＡＰ２００が通常レートＰＨＹおよび低レートＰＨＹを含むと考える。第１の解決方法によると、ステーションＳＴＡ２  ２０４が通常レートＰＨＹのみを利用する場合、ステーションＳＴＡ２  ２０４は、通常ＰＨＹを用いてＲＴＳ（送信要求）フレームまたはショートフレームをＡＰ２００に送信することによって、保護を開始する（つまり、媒体を送信用に確保するよう要求する）ことができる。ステーションＳＴＡ２  ２０４は、通常レートＰＨＹおよび低レートＰＨＹの両方を用いて送信可能（ＣＴＳ）フレームまたはショートフレームを送信することによって、応答するようＡＰ２００に要求することができる。ＡＰ２００は、通常レートＰＨＹを用いて応答を送信した後、同じ応答を低レートＰＨＹを用いて送信するとしてよい。これに代えて、ＡＰ２００は、低レートＰＨＹを用いて応答を送信した後、同じ応答を通常レートＰＨＹを用いて送信するとしてもよい。
【０１４７】
第２の解決方法によると、ＡＰ２００は、通常レートプリアンブル（保護期間を含む）、低レートプリアンブルおよび低レートペイロードを含む特別なハイブリッドパケットを送信することによって、応答するとしてよい。これに代えて、ＡＰ２００は、低レートプリアンブル（保護期間を含む）、通常レートプリアンブルおよび通常レートペイロードを含む特別なハイブリッドＰＨＹパケットを送信することによって、応答するとしてもよい。保護期間とは、ステーションＳＴＡ２  ２０４にデータ送信させるべく媒体が確保されている期間を意味する。
【０１４８】
第３の解決方法によると、ＡＰ２００は、通常レートパケットを送信した後に、ギャップを空けて、その後に低レート非データパケット（ＮＤＰ）（保護期間を含む）を送信することで応答するとしてもよい。これに代えて、ＡＰ２００は、低レートパケットを送信した後に、ギャップを空けて、その後に通常レートパケット（保護期間を含む）を送信することで応答するとしてもよい。上記のギャップは、ショートフレーム間スペース（ＳＩＦＳ）または縮小フレーム間スペース（ＲＩＦＳ）であってよい。一部の実施例によると、ＮＤＰはさらに、通常レートパケットまたはハイブリッドパケットの前に、送信されるとしてもよい。
【０１４９】
第４の解決方法は、ＡＰ２００が二重に応答フレームを送信する（つまり、２ＭＨｚチャネルが含む１ＭＨｚサブチャネルのそれぞれを介して）としてよい。尚、一の低レートパケットは一の１ＭＨｚチャネルで送信されるが、一の通常レートパケットは一の２ＭＨｚチャネルで（つまり、２つの隣接する１ＭＨｚチャネルで）送信される。上記の方式のいずれかに応じた保護のためのやり取りが完了すると、ステーションＳＴＡ２  ２０４は、ＡＰ２００との間で通常レートセッションを開始することができる。
【０１５０】
図３を再度参照すると、共存問題は以下のように説明することができる。ステーションＳＴＡ２  ２０４が通常レートＰＨＹのみ（または、低レートＰＨＹのみ）を利用する場合、ステーションＳＴＡ１  ２０２からの保護を目的とした送信を検出／デコードしないとしてよい。エネルギー検出は助けになるが、ステーションＳＴＡ２  ２０４は電力節約のために早期パケットフィルタリングを実行できず、隠れノード保護のために期間フィールド（または、均等フィールド）をデコードできない。
【０１５１】
共存問題は、以下に説明するように、多くの方法で解決され得る。ステーションＳＴＡ１  ２０２が低レートＰＨＹのみを利用する場合、ステーションＳＴＡ１  ２０２は、低レートＰＨＹを用いてＡＰ２００にショートフレームまたはＲＴＳを送信することによって保護セッションを開始して、通常レートＰＨＹおよび低レートＰＨＹの両方を用いて応答するようＡＰ２００に要求するとしてよい。隠れ端末問題に関して上述した解決方法と同様の解決方法を採用するとしてよい。ステーションＳＴＡ１  ２０２は、低レートセッションのために送信機会（ＴＸＯＰ）を確保するべく保護を利用する。
【０１５２】
ステーションＳＴＡ１  ２０２が通常レートＰＨＹおよび低レートＰＨＹの両方を利用することが出来る場合、ステーションＳＴＡ１  ２０２は、低レートＰＨＹのみ、低レートＰＨＹおよび通常レートＰＨＹの両方、通常レートＮＤＰの後にギャップを置いてその後に低レートパケットを設けること、または、低レートＮＤＰの後にギャップを置いてその後に通常レートパケットを設けること、のうちいずれか１つの方法で、保護を開始するか、または、データを送信することができる。ＡＰ２００は、低レートＰＨＹのみ、低レートＰＨＹおよび通常レートＰＨＹの両方、通常レートＮＤＰの後にギャップを置いてその後に低レートパケットを設けること、または、低レートＮＤＰの後にギャップを置いてその後に通常レートパケットを設けることのいずれか１つの方法で、保護開始に応答するとしてよい。
【０１５３】
図６を参照すると、８０２．１１ａｈをベースとする屋外環境での共存は、米国特許出願第１２／８４１，７７２号（出願日：２０１０年７月２２日）に開示されているミッドアンブルを用いて解決することができる。上記特許文献の内容はすべて、参照により本明細書に組み込まれる。ミッドアンブルはさらに、無線送信の存在を判断するために用いることができる。図６において、ミッドアンブルを含むパケット３５０を図示している。ミッドアンブルは、図示されているように、プリアンブルの後に続き、２以上のデータフィールドの間に挿入されている。ミッドアンブルにより、受信機は、長いパケットについてチャネル等価器を保持することが出来るようになる。
【０１５４】
ミッドアンブルは、一のショートトレーニングフィールド（ＳＴＦ）および複数のロングトレーニングフィールド（ＬＴＦ）を含む。ダブルガードインターバル（ＤＧＩ）は、ＳＴＦとロングトレーニングシンボル（ＬＴＳ）との間に挿入されているとしてよい。ステーションは通常、プリアンブルまたはサイクリックプリフィクス（ＣＰ）の反復を検出しようと試みることによって、クリアチャネルアセスメント（ＣＣＡ）を実行する。ステーションはさらに、ミッドアンブルを検出することによって、ＣＣＡを実行することもできる。ミッドアンブルの検出は、ＣＰ反復に基づくパケット中心の検出よりも、ロバスト性が高い。
【０１５５】
ステーションは、ＣＣＡを実行して、ミッドアンブルを用いて保留するとしてもよい。以下に説明する。ステーションがミッドアンブルの存在を検出すると、ステーションはチャネルがビジー状態であると判断し、送信を保留すべきである。ミッドアンブルの存在は、ＳＴＦおよび１以上のＬＴＦが存在することによって、判断することができる。Ｎを２以上の整数として、規格でＮ個のシンボル毎にミッドアンブルがあると定められている場合、ステーションはＮ個の（またはＮの倍数個の）シンボルにわたって省電力モードに入ることが出来、Ｎ個の（またはＮの倍数個の）シンボルの後にウェイク状態になって、ミッドアンブルを検出することによってパケット送信が終了したか否かを判断しようと試してよい。ミッドアンブルが検出されない場合、ステーションは、プリアンブル検出およびガードインターバル（ＧＩ）反復に基づいてＣＣＡを実行する必要がある。１ＭＨｚベーシックサービスセット（ＢＳＳ）に含まれるステーション（つまり、１ＭＨｚ  ＳＴＡ）は、２ＭＨｚチャネルで送信されるＳＴＦおよびＬＴＦの存在を検出するので、２ＭＨｚ送信が進行中であると判断することができる。このため、この方法を用いる１ＭＨｚ  ＳＴＡは保留する。
【０１５６】
ＩＥＥＥ８０２．１１ａｈでは、通常レートＰＨＹ（ＮＰ）および低レートＰＨＹ（ＬＲＰ）を定義しており、通常レートＰＨＹのみを持つシングルＰＨＹデバイス（ＮＰ限定デバイス）および通常レートＰＨＹおよび低レートＰＨＹを持つ二重ＰＨＹデバイスという２種類のデバイスを許容しているとしてよい。ＮＰ限定デバイスは、ＬＲＰ送信（例えば、ＬＲ−ＳＴＦ、ＬＲ−ＬＴＦおよび／またはＬＲ−ＳＩＧフィールド）のプリアンブルの一部または全体を検出することができる。
【０１５７】
ＮＰ限定デバイスは、ＬＲＰ送信のプリアンブルの一部または全体が検出される場合、または、信号エネルギーが所定のしきい値以上であると検出される場合、クリアチャネルアクセス（ＣＣＡ）ステータスをビジーに設定する。通常レートプリアンブルのＳＴＦおよび低レートプリアンブルのＬＲ−ＳＴＦは、同様の構造を持つものとして構成されるとしてよい。このため、ＮＰ限定デバイスのＣＣＡはＬＲ−ＳＴＦによってトリガ可能である。例えば、ＬＲ−ＳＴＦは、ＳＴＦと同一の定期性を持つ。これに代えて、ＬＲ−ＳＴＦの周期性は、ＳＴＦの周期性の１／Ｎ倍である。Ｎは、２以上の整数である。このため、ＮＰ限定デバイスの受信機に含まれる自動相関器は、ＳＴＦおよびＬＲ−ＳＴＦによってトリガされる。低レートプリアンブルの残余部分（つまり、ＬＲ−ＬＴＦフィールドおよびＬＲ−ＳＩＧフィールド）は、通常レートプリアンブルの対応するフィールドとは異なるとしてよい。
【０１５８】
図７Ａおよび図７Ｂを参照すると、共存シナリオの例が図示されている。図７Ａに示す第１のシナリオでは、異なるベーシックサービスセット（ＢＳＳ）に属するステーションが図示されている。例えば、ＢＳＳ  Ａに属する１個のステーションと、ＢＳＳ  Ｂに属する２個のステーションが図示されている。ＢＳＳ  Ｂに含まれるステーションはＮＰ限定デバイスであり（つまり、通常レートＰＨＹまたはＮＰのみを持つ）、ＢＳＳ  Ａに含まれるステーションは二重ＰＨＹデバイス（つまり、通常レートＰＨＹおよび低レートＰＨＹを持つ）であると考える。大きな円および小さな円は、異なるステーションからのＮＰ送信およびＬＲＰ送信の長距離領域および短距離領域を示す。さらに、ＢＳＳ  ＡおよびＢＳＳ  ＢはＮＰが重複しているＢＳＳ同士である（ＮＰ−ＯＢＳＳ）と考える。つまり、ＢＳＳ  ＡおよびＢＳＳ  Ｂに含まれるステーションがＮＰを用いて送信すると、送信同士が干渉し合う可能性がある。また、ＢＳＳ  Ａに含まれるステーションからのＬＲＰ送信はＢＳＳ  Ｂに含まれるステーションによって検出が可能であると考える。
【０１５９】
ＢＳＳ  Ｂに含まれるステーションからのＮＰ送信および／または保護要求は、ＢＳＳ  Ａに含まれるステーションに到達し、ＢＳＳ  Ａに含まれるステーションとの間で発生し得る干渉を少なくとも一部防止することができる。ＢＳＳ  Ａに含まれるステーションからのＬＲＰ送信は、ＢＳＳ  Ｂに含まれるステーションによって少なくとも一部を検出可能であり、ＢＳＳ  Ｂに含まれるステーションからの送信との間で大きな干渉を発生させるとしてよい。ＢＳＳ  ＢはＢＳＳ  Ａに含まれるステーションの一部に近接しているので、ＢＳＳ  Ｂに含まれるステーションは、ＢＳＳ  Ａに含まれるステーションからの検出したＬＲＰ送信を尊重して、自身の送信を保留する。
【０１６０】
図７Ｂに示す第２のシナリオでは、例えば、ＢＳＳ  Ａに属する１個のステーションおよびＢＳＳ  Ｂに属する１個のステーションが図示されている。ＢＳＳ  Ｂに含まれるステーションはＮＰ限定デバイスであり、ＢＳＳ  Ａに含まれるステーションは二重ＰＨＹデバイスであると考える。さらに、ＢＳＳ  ＡおよびＢＳＳ  ＢはＮＰ−ＯＢＳＳではないが、ＬＲＰが重複するＢＳＳ（ＬＲＰ−ＯＢＳＳ）であると考える。つまり、ＢＳＳ  ＡおよびＢＳＳ  Ｂに含まれるステーションのＮＰ送信は互いに干渉しないが、ＢＳＳ  Ａに含まれるステーションのＬＲＰ送信はＢＳＳ  Ｂに含まれるステーションによって検出可能である。
【０１６１】
ＢＳＳ  Ｂに含まれるステーションからのＮＰ送信および／または保護要求は、ＢＳＳ  Ａに含まれるステーションには到達できず、ＢＳＳ  Ａに含まれるステーションからのＬＲＰ送信に起因する干渉を防止することができない。ＢＳＳ  Ａに含まれているステーションからのＬＲＰ送信は、ＢＳＳ  Ｂに含まれるステーションによって少なくとも一部を検出が可能であるが、ＢＳＳ  Ｂに含まれるステーションからの送信に対して大きな干渉を発生させない。ＢＳＳ  Ｂに含まれるステーションが近隣において多量のＮＰ送信および／またはＬＲＰ送信を検出しない場合（例えば、ＮＰ送信および／またはＬＲＰ送信は所定のしきい値以下である場合）、ＢＳＳ  Ｂに含まれるステーションは低レートプリアンブルが検出される場合でも媒体にアクセスするとしてよい。
【０１６２】
ネットワークアロケーションベクトル（ＮＡＶ）は、ＩＥＥＥ８０２．１１およびＩＥＥＥ８０２．１６（ＷｉＭａｘ）等の無線ネットワークプロトコルと共に利用する仮想キャリア感知メカニズムである。仮想キャリア感知メカニズムによって、物理キャリアが感知を行う必要性が小さくなり、電力が節約される。ＭＡＣレイヤフレームヘッダは、フレームに必要な送信時間を特定している期間フィールドを含み、この送信時間の間は媒体がビジー状態である。媒体をリスニングしているステーションは、期間フィールドを読み出して、ＮＡＶを設定する。ＮＡＶは、ステーションに対して、当該ステーションが媒体へのアクセスを保留する期間を示す。
【０１６３】
以下に共存ルールおよび共存方法の一例を説明する。従来では、ＮＰ限定デバイスが低レートパケットのＬＲ−ＳＩＧフィールド（つまり、ＬＰを用いて送信され、低レートプリアンブルおよびデータを含むパケット）をデコードすることが出来る場合、ＮＰ限定デバイスは、低レートパケットの終了まで、または、送信シーケンスの終了まで、チャネルアクセスを保留すべきである。ＮＰ限定デバイスがＬＲ−ＳＴＦおよび／またはＬＲ−ＬＴＦを検出できるが、低レートパケットのＬＲ−ＳＩＧフィールドをデコードできない場合、ＮＰ限定デバイスは、フレーム（例えば、ＮＰを用いて送信され通常レートプリアンブルおよびデータを含む通常レートパケット）のＳＩＧフィールドを正しくデコードするまでチャネルアクセスを保留すべきである。これに代えて、ＮＰ限定デバイスは、ＮＰ限定デバイスがネットワークアロケーションベクトル（ＮＡＶ）を正しく設定できるフレームシーケンスが検出されるまで、チャネルアクセスを保留すべきである。これに代えて、ＮＰ限定デバイスは、所定の期間、例えば、低レートパケットまたは一の送信シーケンスの最大許容期間が完了するまでチャネルアクセスを保留すべきである。
【０１６４】
デバイスが短い低レートパケットを用いることで連続的に媒体を占有しないように、ＬＲＰの利用についてデューティーサイクルしきい値／限界値（例えば、Ｘ）を適用する。例えば、デバイスが媒体へのアクセスに成功すると、当該デバイスは最大期間ＡにわたってＬＲＰを利用することで媒体に連続的にアクセスすることができる。最大期間Ａが終了すると、デバイスは、少なくとも期間Ｂにわたっては、ＬＲＰを用いた媒体へのアクセスが禁止される。デューティーサイクルＡ／（Ａ＋Ｂ）は、Ｘ以下である必要がある。
【０１６５】
ＮＰ限定ステーションは、ＬＲＰ送信が非常に高い強度を持つ場合、例えば、エネルギー検出しきい値（通常は、プリアンブル／ＳＴＦ検出しきい値よりも２０ｄＢ低い）以上である場合に限り、検出したＬＲＰ送信に基づいてチャネルアクセスを保留すべきである。しかし、この方法を用いると、ＬＲＰを利用する二重ＰＨＹステーションがＮＰ限定ステーションの近隣に存在する場合、ＮＰ限定ステーションは、二重ＰＨＹステーションへの強度の低いＬＲＰ送信を無視し続けると共にブロックし続けることになる。
【０１６６】
以下に制限を緩和した共存方法の例を説明する。ＮＰ限定ステーションは、通常のエネルギー検出しきい値とプリアンブル／ＳＴＦ検出しきい値との間であるしきい値よりも送信が高強度である場合に限り、検出したＬＲＰ送信に基づきチャネルアクセスを保留すべきである。ＮＰ限定ステーションは、所定の期間（例えば、最大低レートパケット期間または最大送信機会（ＴＸＯＰ）期間）にわたってチャネルアクセスを保留すべきである。これは、ＮＰ限定ステーションが、所定の期間の終了までに、検出したＳＩＧフィールドまたはＮＡＶ期間から期間を検出しない場合にそうする。
【０１６７】
二重ＰＨＹステーションは、１回以上ＬＲＰ送信に失敗すると、後続のＬＲＰ送信および再送信について特別な保護要求を送信するとしてよい。例えば、二重ＰＨＹステーションは、後続の再送信のために特別なＬＲ−ＳＴＦ（例えば、ＬＲ−ＳＴＦを長くする）を用いて特別な保護要求を送信するとしてよい。ＮＰ限定ステーションは、特別なＬＲ−ＳＴＦ（または特別な保護要求）を検出すると、チャネルアクセスを保留すべきである。ＮＰ限定ステーションは、特別なＬＲ−ＳＴＦ（または特別な保護要求）を検出しない場合、エネルギー検出しきい値よりも高強度の送信が検出された場合に限り、チャネルアクセスを保留する。
【０１６８】
一部の実施例では、ＮＰ限定デバイスは、エネルギー検出のみを実行可能であるとしてよい。ＮＰ限定デバイスは、低レートパケットのＬＲ−ＳＴＦを検出できない場合、チャネルアクセスについてエネルギー検出に依存しなければならず、低強度のＬＲＰ送信を検出することが出来ない場合がある。ＬＲＰを用いてデバイスを積極的に無視することによってこのようなＮＰ限定デバイスが媒体へアクセスしないようにするべく、デューティーサイクルしきい値／限界値を適用してこのようなＮＰ限定デバイスが長期間にわたって共通媒体にアクセスしないようにする。
【０１６９】
チャネル選択は以下のように行われるとしてよい。ＮＰ限定ステーションを含むＢＳＳは、ＮＰ主要チャネルとして既存のＬＲＰチャネルを利用しないようにすべきである。より一般的には、ＮＰ限定ステーションは、一のチャネルでＬＲＰ送信を検出すると、依然として送信のために他のアイドルチャネルを利用することができる。
【０１７０】
図８を参照すると、ネットワークデバイス４００は、送受信モジュール４０２、媒体アクセスコントローラ（ＭＡＣ）モジュール４０４、および、プロセッサ４０６を備える。ネットワークデバイス４００は、アクセスポイント（ＡＰ）またはクライアントステーション（ＳＴＡ）を有するとしてよい。送受信モジュール４０２は、１以上のアンテナ（不図示）を介してデータを送受信する物理層（ＰＨＹ）モジュール４０８を含む。一のＰＨＹモジュール４０８が図示されているが、送受信モジュール４０２は複数のＰＨＹモジュールを含むとしてもよい。ＭＡＣモジュール４０４は、媒体へのアクセスを制御する。プロセッサ４０６は、ネットワークデバイス４００が送受信するデータを処理する。
【０１７１】
図９Ａおよび図９Ｂを参照すると、それぞれネットワークデバイス５００および５５０が図示されている。ネットワークデバイス５００および５５０はそれぞれ、ＡＰまたはＳＴＡを含むとしてよい。ネットワークデバイス５００および５５０は、異なるＰＨＹを含む。図９Ａでは、ネットワークデバイス５００は送受信モジュール５０２を含む。送受信モジュール５０２は、第１のプリアンブル生成モジュール５０４、第２のプリアンブル生成モジュール５０６、パケット生成モジュール５０８およびＰＨＹモジュール５１０を含む。ＰＨＹモジュール５１０は、１以上のアンテナ（不図示）を介して媒体との間で通信を行うとしてよい。図９Ｂにおいて、ネットワークデバイス５５０は、送受信モジュール５５２を含む。送受信モジュール５５２は、第１のプリアンブル生成モジュール５０４、第２のプリアンブル生成モジュール５０６、パケット生成モジュール５０８、第１のＰＨＹモジュール５６０および第２のＰＨＹモジュール５６２を含む。ＰＨＹモジュール５６０および５６２は、１以上のアンテナ（不図示）を介して媒体との間で通信を行うとしてよい。
【０１７２】
第１のプリアンブル生成モジュール５０４は、第１のプリアンブルを生成する。第１のプリアンブルは、第１のデータレートで動作する受信機をトレーニングするための第１のトレーニングフィールドを含む。例えば、第１のトレーニングフィールドは、第１のショートトレーニングフィールドを含む。また、第１のプリアンブルは、第１のロングトレーニングフィールドおよび第１の信号フィールドを含む。第２のプリアンブル生成モジュール５０６は、第２のプリアンブルを生成する。第２のプリアンブルは、第２のデータレートで動作する受信機をトレーニングするための第２のトレーニングフィールドを含む。例えば、第２のトレーニングフィールドは、第２のショートトレーニングフィールドを含む。また、第２のプリアンブルは、第２のロングトレーニングフィールドおよび第２の信号フィールドを含む。第２のデータレートは、第１のデータレートとは異なる。例えば、第１のデータレートが通常レートであり、第２のデータレートが低レートである。これに代えて、第１のデータレートが低レートであり、第２のデータレートが通常レートである。
【０１７３】
パケット生成モジュール５０８は、パケットを生成する。第１のデータレートで送信されるパケットでは、第２のプリアンブルの後に第１のプリアンブルが配置されている。これに代えて、第２のデータレートで送信されるパケットでは、第１のプリアンブルの後に第２のプリアンブルが配置されている。
【０１７４】
図９Ａにおいて、物理層モジュール５１０は、パケットにおいて第２のプリアンブルの後に第１のプリアンブルが配置されている場合、第１のデータレートでパケットを送信する。物理層モジュール５１０は、パケットにおいて第１のプリアンブルの後に第２のプリアンブルが配置されている場合、第２のデータレートでパケットを送信する。したがって、物理層モジュール５１０は、第１のデータレートで生成される第１のパケットの一部分および第２のデータレートで生成される第２のパケットの一部分を含むハイブリッドパケットを送受信可能なハイブリッド物理層と呼ばれるとしてよい。
【０１７５】
図９Ｂにおいて、第１の物理層モジュール５６０は、パケットが第２のプリアンブルの後に第１のプリアンブルを含む場合、第１のデータレートでパケットを送信する。第２の物理層モジュール５６２は、パケットが第１のプリアンブルの後に第２のプリアンブルを含む場合、第２のデータレートでパケットを送信する。
【０１７６】
図１０を参照すると、クライアントステーション６００は、受信モジュール６０２を備える。受信モジュール６０２は、ＰＨＹモジュール６０４、処理モジュール６０６、および、エネルギー検出モジュール６０８を有する。ＰＨＹモジュール６０４は、１以上のアンテナ（不図示）を介して媒体と通信するとしてよい。以下の説明では、第２のデータレートは第１のデータレートとは異なるとする。例えば、第１のデータレートが通常レートであり、第２のデータレートが低レートである。これに代えて、第１のデータレートが低レートであり、第２のデータレートが通常レートである。
【０１７７】
物理層モジュール６０４は、媒体を介してパケットを受信する。パケットでは、第１のプリアンブルの後に第２のプリアンブルが配置されている。第１のプリアンブルは、第１のデータレートに基づいて生成される。第２のプリアンブルは、第２のデータレートに基づいて生成される。第１のプリアンブルおよび第２のプリアンブルのうち少なくとも一方が、パケットの期間を含む。
【０１７８】
処理モジュール６０６は、受信モジュール６０２が第１のデータレートで動作する場合、第１のプリアンブルを処理する。処理モジュール６０６は、受信モジュール６０２が第２のデータレートで動作する場合、第２のプリアンブルを処理する。処理モジュール６０６は、第１のプリアンブルまたは第２のプリアンブルの処理に基づき、パケットの期間にわたって媒体へのアクセスを保留するか否かを判断する。
【０１７９】
第１のプリアンブルは、第１のデータレートで動作する受信機をトレーニングするための第１のトレーニングフィールド（例えば、第１のショートトレーニングフィールド）と、パケットの期間を示す第１の信号フィールドとを含む。処理モジュール６０６は、受信モジュール６０２が第１のデータレートで動作し第１のトレーニングフィールドでトレーニングされる場合、第１のプリアンブルを処理する。処理モジュール６０６は、第１の信号フィールドに基づき、パケットの期間を決定する。処理モジュール６０６は、第１の信号フィールドにおいて識別子を検出し、当該識別子がパケットの宛先が受信モジュール６０２ではないと示している場合、パケットの期間にわたって媒体にアクセスしないと決定する。
【０１８０】
第２のプリアンブルは、第２のデータレートで動作している受信機をトレーニングするための第２のトレーニングフィールド（例えば、第２のショートトレーニングフィールド）と、パケットの期間を示す第２の信号フィールドとを含む。処理モジュール６０６は、受信モジュール６０２が第２のデータレートで動作し第２のトレーニングフィールドに基づいてトレーニングされる場合、第２のプリアンブルを処理する。処理モジュール６０６は、第２の信号フィールドに基づきパケットの期間を決定する。処理モジュール６０６は、第２の信号フィールドにおいて識別子を検出し、当該識別子がパケットの宛先が受信モジュール６０２ではないと示している場合、パケットの期間にわたって媒体にアクセスしないと判断する。
【０１８１】
パケットが第２のデータレートで生成されたデータを含み、受信モジュール６０２が第２のデータレートで動作する場合、処理モジュール６０６は、第１のプリアンブルを処理し、第１のプリアンブルの処理に基づいてパケットが第２のデータレートで生成されたデータを含むか否かを判断し、パケットが第２のデータレートで生成されたデータを含むと判断することに応じて第２のプリアンブルを処理し、第２のプリアンブルの処理も基づきパケットの期間を決定する。処理モジュール６０２は、第２のプリアンブルに含まれる識別子を検出し、当該識別子がパケットの宛先が受信モジュール６０２でないと示す場合にはパケットの期間にわたって媒体にアクセスしないと決定する。
【０１８２】
パケットが第１のデータレートで生成されたデータを含み、受信モジュール６０２が第１のデータレートおよび第２のデータレートで動作する場合、処理モジュール６０６は、第１のプリアンブルを処理し、第１のプリアンブルの処理に基づいてパケットが第２のデータレートで生成されたデータを含むか否かを判断し、パケットが第２のデータレートで生成されたデータを含むと判断することに応じて、第２のプリアンブルを処理し、第２のプリアンブルの処理に基づいてパケットの期間を決定する。処理モジュール６０６は、第２のプリアンブルに含まれている識別子を検出し、当該識別子がパケットの宛先が受信モジュール６０２でないと示す場合にパケットの期間にわたって媒体へアクセスしないと判断する。
【０１８３】
図１１を参照すると、クライアントステーション６５０は受信モジュール６５２を備える。受信モジュール６５２は、ＰＨＹモジュール６５４、ミッドアンブル検出モジュール６５６、処理モジュール６５８および省電力モジュール６６０を有する。ＰＨＹモジュール６５４は、１以上のアンテナ（不図示）を介して媒体との間で通信を行うとしてよい。ミッドアンブル検出モジュール６５６は、チャネルを介してネットワークデバイスが送信するパケットのミッドアンブルを検出する。パケットは、プリアンブル、ミッドアンブルおよび複数のデータフィールドを含むとしてよい。プリアンブルは、第１のショートトレーニングフィールド、第１のロングトレーニングフィールドおよび信号フィールドを含むとしてよい。ミッドアンブルは、第２のショートトレーニングフィールドおよび第２のロングトレーニングフィールドを含むとしてよい。ミッドアンブルは、プリアンブルの後に配置されており、データフィールドのうち２以上の間に配置されている（例えば、図６を参照のこと）。処理モジュール６５８は、ミッドアンブルがパケット内に検出されると、チャネルがビジー状態であると判断する。
【０１８４】
ミッドアンブルは、パケットにおいて、所定数のデータシンボル毎（例えば、Ｎが２以上の整数の場合に、Ｎ個のデータシンボル毎）に配置されているとしてよい。省電力モジュール６６０は、所定数のデータシンボルに等しい期間、または、所定数のデータシンボルの倍数の期間にわたって、クライアントステーション６５０を省電力モードで動作させる。省電力モジュール６６０は、この期間に続いて、クライアントステーション６５０をウェイク状態にする。クライアントステーション６５０がウェイク状態になった後、処理モジュール６５８は、ミッドアンブルがパケット内で検出されれば、チャネルがビジー状態であると判断する。ミッドアンブルがパケット内で検出されない場合、処理モジュール６５８は、プリアンブルに基づいて、チャネルがビジー状態であるか否かを判断する。
【０１８５】
物理層モジュール６５４は、チャネルの第１のサブチャネルまたは第２のサブチャネルを介して、第１のデータレートで通信を行う。ミッドアンブル検出モジュール６５６は、ミッドアンブルが第１のサブチャネルおよび第２のサブチャネルを介して第２のデータレートで送信される場合、第１のサブチャネルまたは第２のサブチャネルにおいてミッドアンブルを検出する。第２のデータレートは、第１のデータレートよりも高い。例えば、第２のデータレートが通常レートであり、第１のデータレートが低レートである。第１のサブチャネルまたは第２のサブチャネルにおいてミッドアンブルが検出される場合、処理モジュール６５８は、第２のデータレートでの送信がチャネルで進行中であると判断し、チャネルにアクセスしないと判断する。
【０１８６】
図１０を再度参照すると、物理層モジュール６０４は、チャネルを介して第１のデータレートで通信を行う。チャネルは、第１のサブチャネルおよび第２のサブチャネルを含む。物理層モジュール６０４は、第１のサブチャネルおよび第２のサブチャネルを介して第１のデータレートで送信される第１のプリアンブルを含む第１のパケットを受信する。物理層モジュール６０４は、第１のサブチャネルまたは第２のサブチャネルを介して第２のデータレートで送信される第２のプリアンブルを含む第２のパケットを受信する。第２のデータレートは、第１のデータレートより低い。例えば、第２のデータレートが通常レートであり、第１のデータレートが低レートである。
【０１８７】
処理モジュール６０６は、第１のデータレートで送信される第１のプリアンブルと、第２のデータレートで送信される第２のプリアンブルの少なくとも一部分とを処理する。処理モジュール６０６は、第１のサブチャネルまたは第２のサブチャネルを介して送信される第２のプリアンブルの少なくとも一部分を検出すると、チャネルがビジー状態であると判断する。エネルギー検出モジュール６０８は、チャネルのエネルギーレベルを検出して、エネルギーレベルが所定のしきい値以上である場合にはチャネルがビジー状態であると判断する。
【０１８８】
第１のプリアンブルは、第１の周期性を持つ第１のショートトレーニングフィールドと、第１の残余部分（例えば、ロングトレーニングフィールドおよび信号フィールド）とを含む。第２のプリアンブルは、第２の周期性を持つ第２のショートトレーニングフィールドと、第２の残余部分（例えば、ロングトレーニングフィールドおよび信号フィールド）とを含む。第１の残余部分は、第２の残余部分とは異なる。第２の周期性は、第１の周期性を１以上の整数で除算した値に等しい。第１のショートトレーニングフィールドおよび第２のショートトレーニングフィールドはそれぞれ、第１のデータレートで送信される第１のプリアンブルおよび第２のデータレートで送信される第２のプリアンブルの少なくとも一部分を処理するべく、処理モジュール６０６（例えば、処理モジュール６０６に含まれる自動相関器）をアクティブ化する。
【０１８９】
処理モジュール６０６は、第２の残余部分の信号フィールドを処理し、第２の残余部分の信号フィールドの処理に基づいて第２のパケットの期間を決定し、当該期間にわたってチャネルへのアクセスを保留する。処理モジュール６０６は、第２のプリアンブルの第２のショートトレーニングフィールドと、第２のプリアンブルの第２の残余部分のロングトレーニングフィールドとを処理する。処理モジュール６０６は、第２の残余部分の信号フィールドを処理することが出来ない場合、処理モジュール６０６が第１のプリアンブルの信号フィールドを検出するまで、処理モジュール６０６がネットワークアロケーションベクトルを設定するべくフレームシーケンスを検出するまで、第２のパケットまたは一の送信シーケンスの期間に対応する所定期間が終了するまで、のいずれか一つまで、チャネルへのアクセスを保留する。
【０１９０】
処理モジュール６０６は、第１の所定の期間にわたってチャネルへのアクセスを保留し、第１の所定の期間の終了時にチャネルにアクセスし、第１の所定の期間の終了時にチャネルへのアクセスを得た後に、第２の所定の期間にわたってチャネルにアクセスする。第１の所定の期間および第２の所定の期間は、第２のパケットを送信するデバイスに割り当てられている所定のデューティーサイクルに基づいて決まる。デバイスは、第１の所定の期間においてチャネルにアクセスし、第２の所定の期間においてチャネルにアクセスしない。
【０１９１】
エネルギー検出モジュール６０８は、第２のパケットのエネルギーレベルを検出する。処理モジュール６０６は、エネルギーレベルが所定のしきい値以上である場合、チャネルへのアクセスを保留する。処理モジュール６０６は、エネルギーレベルが所定のエネルギー検出しきい値以上であり、且つ、エネルギーレベルがプリアンブル検出しきい値以下である場合にチャネルへのアクセスを保留する。
【０１９２】
処理モジュール６０６は、処理モジュール６０６が、所定の期間の終了前に、第１のパケットまたは第２のパケットの期間を第１のプリアンブルもしくは第２のプリアンブルの信号フィールドから、または、ネットワークアロケーションベクトル期間から検出しない場合、当該所定の期間にわたってチャネルへのアクセスを保留する。
【０１９３】
第２のプリアンブルは、ショートトレーニングフィールドを含み、第１のデータレートでチャネルを介して第１のプリアンブルを送信するデバイスであって、第２のデータレートで第１のサブチャネルまたは第２のサブチャネルを介して第２のプリアンブルを送信するデバイスによって送信されるとしてよい。第２のプリアンブルに含まれるショートトレーニングフィールドの長さは、第２のデータレートでのデバイスからの送信が複数回失敗すると、増加させるとしてよい。エネルギー検出モジュール６０８は、第２のパケットのエネルギーレベルを検出する。処理モジュール６０６は、増加させた長さを持つショートトレーニングフィールドを検出すると、チャネルへのアクセスを保留する。これに代えて、処理モジュール６０６は、エネルギーレベルが所定のしきい値以上であり、且つ、増加させた長さのショートトレーニングフィールドが検出されない場合、チャネルへのアクセスを保留する。
【０１９４】
処理モジュール６０６は、エネルギーレベルが所定のしきい値以上であり、且つ、第２のプリアンブルが検出されない場合、チャネルへのアクセスを保留する。処理モジュール６０６は、エネルギーレベルに基づきチャネルへのアクセスを得た後、第１の所定の期間にわたってチャネルへアクセスする。処理モジュール６０６は、第１の所定の期間が終了した後、チャネルへのアクセスを停止する。処理モジュール６０６は、第１の所定の期間の終了の後、第２の所定の期間にわたって、チャネルにアクセスしない。第１の所定の期間および第２の所定の期間は、所定のデューティーサイクルに基づいて決まる。
【０１９５】
図９Ｂを再度参照すると、ネットワークデバイス５５０は、アクセスポイント（ＡＰ）を有するとしてよい。第１の物理層モジュール５６０は、チャネルの第１のサブチャネルおよび第２のサブチャネルを介して、第１のデータレートで通信を行う。第２の物理層モジュール５６２は、第１のサブチャネルまたは第２のサブチャネルを介して、第２のデータレートで通信を行う。第１のデータレートは、第２のデータレートより高い。例えば、第１のデータレートが通常レートであり、第２のデータレートが低レートである。
【０１９６】
第１の物理層モジュール５６０は、第１のクライアントステーションからアクセスポイントへ第１のデータレートでデータを送信するためにチャネルを確保するべく、第１のクライアントステーション（例えば、図３のステーションＳＴＡ２  ２０４）から要求を受信する。当該要求は、第２のデータレートで第１のサブチャネルまたは第２のサブチャネルを介してアクセスポイントにデータを送信する第２のクライアントステーション（例えば、図３のステーションＳＴＡ１  ２０２）には受信されない。
【０１９７】
第１のクライアントステーションから要求を受信することに応じて、アクセスポイントは、チャネルを介して第１のクライアントステーションからデータを送信させ、第１のクライアントステーションがチャネルを介してアクセスポイントにデータを送信している間は、第１のサブチャネルまたは第２のサブチャネルを介して第２のクライアントステーションからデータを送信させないように応答を送信する。
【０１９８】
第１のクライアントステーションが応答を受信すると、第１の物理層モジュール５６２は、第２のクライアントステーションとの間で干渉を発生させることなく、第１のクライアントステーションからデータを受信する。要求および応答は異なる種類であってもよく、以下で説明するように別の方法で送信するとしてもよい。
【０１９９】
例えば、要求は送信要求（ｒｅａｄｙ−ｔｏ−ｓｅｎｄ）フレームを含むとしてよく、応答は送信可能（ｃｌｅａｒ−ｔｏ−ｓｅｎｄ）フレームを含むとしてよい。第１の物理層モジュール５６０および第２の物理層モジュール５６２は、送信可能（ｃｌｅａｒ−ｔｏ−ｓｅｎｄ）フレームを送信するとしてよい。
【０２００】
第１の物理層モジュール５６０は、第２の物理層モジュール５６２が応答を送信する前に、応答を送信するとしてよく、第２の物理層モジュール５６２は、第１の物理層モジュール５６０が応答を送信した後に、応答を送信するとしてよい。これに代えて、第２の物理層モジュール５６２は、第１の物理層モジュール５６０が応答を送信する前に、応答を送信するとしてよく、第１の物理層モジュール５６０は、第２の物理層モジュール５６２が応答を送信した後に応答を送信するとしてよい。
【０２０１】
応答は、ハイブリッドパケットを含むとしてよい。ハイブリッドパケットは、第１のデータレートで生成される第１のプリアンブルと、第２のデータレートで生成される第２のプリアンブルと、第２のデータレートで生成されるペイロードとを含む。第１のプリアンブルは、データをアクセスポイントに送信するべくチャネルが第１のクライアントステーションのために確保されている期間を含むとしてよい。
【０２０２】
応答は、ハイブリッドパケットを含むとしてよい。ハイブリッドパケットは、第２のデータレートで生成された第１のプリアンブルと、第１のデータレートで生成された第２のプリアンブルと、第１のデータレートで生成されたペイロードとを含む。第１のプリアンブルは、データをアクセスポイントに送信するべくチャネルが第１のクライアントステーションのために確保されている期間を含むとしてよい。
【０２０３】
応答には、第１のパケットの後にギャップを設け、第２のパケットが配置されているとしてよい。第１のパケットは、第１のデータレートで生成されるとしてよい。第２のパケットは、第２のデータレートで生成されるとしてよい。第２のパケットは、ペイロードを含んでおらず（つまり、第２のパケットは、非データパケットまたはＮＤＰであるとしてよい）、プリアンブルを含むとしてよい。プリアンブルは、データをアクセスポイントに送信するべく第１のクライアントステーションのためにチャネルが確保されている期間を含むとしてよい。
【０２０４】
応答では、第１のパケットの後にギャップを置いて、第２のパケットが配置されているとしてよい。第１のパケットは、第２のデータレートで生成されるとしてよい。第２のパケットは、第１のデータレートで生成されるとしてよい。第２のパケットは、ペイロードを含んでおらず（つまり、第２のパケットは非データパケットまたはＮＤＰであるとしてよい）、プリアンブルを含むとしてよい。プリアンブルは、データをアクセスポイントに送信するべく第１のクライアントステーションのためにチャネルが確保されている期間を含むとしてよい。
【０２０５】
図９Ｂを再度参照すると、ネットワークデバイス５５０は、アクセスポイント（ＡＰ）を含むとしてよい。第１の物理層モジュール５６０は、チャネルの第１のサブチャネルおよび第２のサブチャネルを介して、第１のデータレートで通信を行う。第２の物理層モジュール５６２は、第１のサブチャネルまたは第２のサブチャネルを介して、第２のデータレートで通信を行う。第１のデータレートは、第２のデータレートよりも高い。例えば、第１のデータレートが通常レートであり、第２のデータレートが低レートである。
【０２０６】
第２の物理層モジュール５６２は、第１のクライアントステーション（例えば、図３のステーションＳＴＡ１  ２０２）から、第１のクライアントステーションからアクセスポイントに第２のデータレートでデータを送信するべく、第１のサブチャネルまたは第２のサブチャネルを確保するよう求める要求を受信する。当該要求は、第１のデータレートでチャネルを介してアクセスポイントにデータを送信する構成の第２のクライアントステーション（例えば、図３のステーションＳＴＡ２  ２０４）では処理することができない。
【０２０７】
第１のクライアントステーションから要求を受信することに応じて、アクセスポイントは、第１のクライアントステーションから第１のサブチャネルまたは第２のサブチャネルを介してデータを送信させ、第１のクライアントステーションが第１のサブチャネルまたは第２のサブチャネルを介してアクセスポイントにデータを送信している間は第２のクライアントステーションからはチャネルを介してデータを送信しないようにさせる応答を送信する。
【０２０８】
第１のクライアントステーションが応答を受信すると、第１の物理層モジュール５６２は、第２のクライアントステーションとの間で干渉を発生させることなく、第１のクライアントステーションからデータを受信する。上記の要求および応答は、異なる種類であってもよく、以下に説明するように別の方法で送信されるとしてよい。
【０２０９】
例えば、要求が送信要求（ｒｅａｄｙ−ｔｏ−ｓｅｎｄ）フレームを含むとしてよく、応答が送信可能（ｃｌｅａｒ−ｔｏ−ｓｅｎｄ）フレームを含むとしてよい。第１の物理層モジュール５６０および第２の物理層モジュール５６２は、送信可能（ｃｌｅａｒ−ｔｏ−ｓｅｎｄ）フレームを送信するとしてよい。
【０２１０】
第１の物理層モジュール５６０は、第２の物理層モジュール５６２が応答を送信する前に応答を送信するとしてよく、第２の物理層モジュール５６２は、第１の物理層モジュール５６０が応答を送信した後に応答を送信するとしてよい。これに代えて、第２の物理層モジュール５６２は第１の物理層モジュール５６０が応答を送信する前に応答を送信するとしてよく、第１の物理層モジュール５６０は第２の物理層モジュール５６２が応答を送信した後に応答を送信するとしてよい。
【０２１１】
応答は、ハイブリッドパケットを含むとしてよい。ハイブリッドパケットは、第１のデータレートで生成される第１のプリアンブルと、第２のデータレートで生成される第２のプリアンブルと、第２のデータレートで生成されるペイロードとを含む。第１のプリアンブルは、データをアクセスポイントに送信するべくチャネルが第１のクライアントステーションのために確保されている期間を含むとしてよい。
【０２１２】
応答は、ハイブリッドパケットを含むとしてよい。ハイブリッドパケットは、第２のデータレートで生成された第１のプリアンブルと、第１のデータレートで生成された第２のプリアンブルと、第１のデータレートで生成されたペイロードとを含む。第１のプリアンブルは、データをアクセスポイントに送信するべくチャネルが第１のクライアントステーションのために確保されている期間を含むとしてよい。
【０２１３】
応答には、第１のパケットの後にギャップを設け、第２のパケットが配置されているとしてよい。第１のパケットは、第１のデータレートで生成されるとしてよい。第２のパケットは、第２のデータレートで生成されるとしてよい。第２のパケットは、ペイロードを含んでおらず（つまり、第２のパケットは、非データパケットまたはＮＤＰであるとしてよい）、プリアンブルを含むとしてよい。プリアンブルは、データをアクセスポイントに送信するべく第１のクライアントステーションのためにチャネルが確保されている期間を含むとしてよい。
【０２１４】
応答では、第１のパケットの後にギャップを置いて、第２のパケットが配置されているとしてよい。第１のパケットは、第２のデータレートで生成されるとしてよい。第２のパケットは、第１のデータレートで生成されるとしてよい。第２のパケットは、ペイロードを含んでおらず（つまり、第２のパケットは非データパケットまたはＮＤＰであるとしてよい）、プリアンブルを含むとしてよい。プリアンブルは、データをアクセスポイントに送信するべく第１のクライアントステーションのためにチャネルが確保されている期間を含むとしてよい。
【０２１５】
図３および図９Ｂを再度参照すると、第１のクライアントステーション（例えば、図３のステーションＳＴＡ１  ２０２）は、第２のクライアントステーション（例えば、図３のステーションＳＴＡ２  ２０４）が存在している状態で、以下のようにアクセスポイント（例えば、図３のＡＰ２００）と通信を行うとしてよい。ＡＰ２００は、図９Ｂのネットワークデバイス５５０を含むとしてよい。第１のクライアントステーションはさらに、図９Ｂのネットワークデバイス５５０を含むとしてよい。第２のクライアントステーションは、第１のデータレートで通信することが可能であるとしてよい（例えば、通常レート）。
【０２１６】
第１のクライアントステーションは、チャネルの第１のサブチャネルおよび第２のサブチャネルを介して第１のデータレートで通信するよう構成されている第１の物理層モジュール（例えば、５６０）を含むとしてよい。第１のクライアントステーションは、第１のサブチャネルまたは第２のサブチャネルを介して第２のデータレート（例えば、低レート）で通信を行うよう構成されている第２の物理層モジュール（例えば、５６２）を含むとしてよい。第１のデータレートは、第２のデータレートより高い。第１のクライアントステーションは、第２のクライアントステーションに対応付けられているアクセスポイントと通信する。
【０２１７】
第１のクライアントステーションは、第１のデータレートでデータを送信するべくチャネルを確保するよう、または、第２のデータレートでデータを送信するべく第１のサブチャネルまたは第２のサブチャネルを確保するよう求める要求をアクセスポイントに送信する。第１のクライアントステーションはさらに、第２のクライアントステーションとの間で干渉を発生させることなく、アクセスポイントにデータを送信する。第１のクライアントステーションは、要求およびデータを、第２の物理層モジュールのみ、第１の物理層モジュールおよび第２の物理層モジュール、第１のパケットの後にギャップを置いて第２のパケットを送信すること、および、第２のパケットの後にギャップを置いて第１のパケットを送信することのうちいずれか１つを用いて、送信する。第１のパケットは、第１のデータレートで生成される。第１のパケットは、ペイロードを含んでおらず、プリアンブルを含み、第２のパケットは、第２のデータレートで生成され、ペイロードを含んでいる。
【０２１８】
アクセスポイントは、チャネルを介して第１の物理層モジュールを用いて、または、第１のサブチャネルあるいは第２のサブチャネルを介して第２の物理層モジュールを用いて、第１のクライアントステーションからデータを送信させ、そして、第１のクライアントステーションがアクセスポイントにデータを送信している間は、第２のクライアントステーションからチャネルを介してデータを送信しないようにさせる応答を送信する。
【０２１９】
アクセスポイントは、第１のサブチャネルおよび第２のサブチャネルを介して第１のデータレートで通信を行う第１の物理層モジュール（例えば、５６０）を含む。アクセスポイントは、第１のサブチャネルまたは第２のサブチャネルを介して第２のデータレートで通信を行う第２の物理層モジュール（例えば、５６２）を含むとしてよい。アクセスポイントは、応答を、第２の物理層モジュールのみ、第１の物理層モジュールおよび第２の物理層モジュール、第１のパケットの後にギャップを置いて第２のパケットを送信すること、および、第２のパケットの後にギャップを置いて第１のパケットを送信することのうちいずれか１つを用いて、送信する。第１のパケットは、第１のデータレートで生成される。第１のパケットは、ペイロードを含んでおらず、プリアンブルを含む。プリアンブルは、データをアクセスポイントに送信するべく第１のクライアントステーションのためにチャネルが確保されている期間を含む。第２のパケットは、第２のデータレートで生成され、ペイロードを含んでいる。
【０２２０】
図１２を参照すると、本開示に応じてパケットを送信する方法７００を図示している。７０２において、第１のデータレートで動作する受信機をトレーニングするための第１のトレーニングフィールドを含む第１のプリアンブルを生成する。７０４において、第２のデータレートで動作する受信機をトレーニングする第２のトレーニングフィールドを含む第２のプリアンブルを生成する。第２のデータレートは、第１のデータレートとは異なる。７０６において、パケットが第１のデータレートで送信される場合、第２のプリアンブルの後に第１のプリアンブルを含むパケットを送信する。７０８において、パケットが第２のデータレートで送信される場合、第１のプリアンブルの後に第２のプリアンブルが含まれているパケットを送信する。
【０２２１】
図１３Ａおよび図１３Ｂを参照すると、本開示に係る受信したパケットを処理する方法８００が図示されている。８０２において、受信機でパケットを受信する。当該パケットは、第１のプリアンブルの後に第２のプリアンブルが設けられており、第１のプリアンブルは第１のデータレートに基づいて生成され、第２のプリアンブルは第２のデータレートに基づいて生成され、第１のプリアンブルおよび第２のプリアンブルのうち少なくとも一方は、パケットの期間を含む。８０４において、受信機が第１のデータレートで動作する場合には第１のプリアンブルを、または、受信機が第２のデータレートで動作する場合には第２のプリアンブルを処理し、第１のプリアンブルまたは第２のプリアンブルを処理することに基づいて、パケットの期間にわたって媒体へのアクセスを保留するか否かを判断する。
【０２２２】
８０６において、第１のプリアンブルは、第１のデータレートで動作する受信機をトレーニングするための第１のトレーニングフィールド、および、パケットの期間を示す第１の信号フィールドを含み、受信機が第１のデータレートで動作し第１のトレーニングフィールドに基づいてトレーニングされる場合には、第１のプリアンブルを処理して、第１の信号フィールドに基づいてパケットの期間を決定する。第１の信号フィールドにおいて識別子を検出し、識別子がパケットの宛先が当該受信機でないと示す場合には、パケットの期間にわたって媒体にアクセスしないと決定する。
【０２２３】
８０８において、第２のプリアンブルは、第２のデータレートで動作する受信機をトレーニングするための第２のトレーニングフィールド、および、パケットの期間を示す第２の信号フィールドを含み、受信機が第２のデータレートで動作し第２のトレーニングフィールドに基づいてトレーニングされる場合には、第２のプリアンブルを処理して、第２の信号フィールドに基づいてパケットの期間を決定する。第２の信号フィールドにおいて識別子を検出し、識別子がパケットの宛先が当該受信機でないと示す場合には、パケットの期間にわたって媒体にアクセスしないと決定する。
【０２２４】
８１０において、パケットが第２のデータレートで生成されたデータを含み受信機が第２のデータレートで動作する場合、第１のプリアンブルを処理し、第１のプリアンブルを処理することに基づいて、パケットが第２のデータレートで生成されるデータを含むか否かを判断する。パケットが第２のデータレートで生成されたデータを含むと判断することに応じて第２のプリアンブルを処理し、第２のプリアンブルを処理することに基づいて、パケットの期間を決定する。第２のプリアンブルにおいて識別子を検出し、当該識別子がパケットの宛て先が当該受信機ではないと示す場合、パケットの期間にわたって媒体へアクセスしないと判断する。
【０２２５】
８１２において、パケットが第１のデータレートで生成されたデータを含んでおり、受信機が第１のデータレートおよび第２のデータレートで動作する場合、第１のプリアンブルを処理して、第１のプリアンブルを処理することに基づいてパケットが第２のデータレートで生成されたデータを含むか否かを判断する。パケットが第２のデータレートで生成されたデータを含むと判断することに応じて、第２のプリアンブルを処理し、第２のプリアンブルの処理に基づいてパケットの期間を決定する。第２のプリアンブルにおいて識別子を検出し、当該識別子がパケットの宛先が当該受信機ではないと示す場合、パケットの期間にわたって媒体にアクセスしないと決定する。
【０２２６】
図１４Ａおよび図１４Ｂを参照すると、本開示に係る隠れ端末問題を解決する方法８５０を図示している。８５２において、アクセスポイントの第１の物理層モジュールを用いて、チャネルの第１のサブチャネルおよび第２のサブチャネルを介して、第１のデータレートで通信を行う。アクセスポイント第２の物理層モジュールを用いて、（ｉ）第１のサブチャネルまたは（ｉｉ）第２のサブチャネルを介して、第２のデータレートで通信を行う。尚、第１のデータレートは第２のデータレートよりも高い。第１のクライアントステーションから、第１の物理層モジュールで、第１のクライアントステーションからアクセスポイントに第１のデータレートでデータを送信するべくチャネルを確保するよう求める要求を受信する。当該要求は、第２のデータレートで第１のサブチャネルまたは第２のサブチャネルを介してアクセスポイントにデータを送信するよう構成されている第２のクライアントステーションには、受信されない。第１の物理層モジュールが第１のクライアントステーションから当該要求を受け取ることに応じて、アクセスポイントから、（ｉ）チャネルを介して第１のクライアントステーションから第１のデータレートでデータを送信させ、（ｉｉ）第１のクライアントステーションがチャネルを介してアクセスポイントに第１のデータレートでデータを送信している間は、第１のサブチャネルまたは第２のサブチャネルを介して第２のデータレートで第２のクライアントステーションからデータを送信させないようにするべく、応答を送信する。
【０２２７】
８５４において、要求は送信要求（ｒｅａｄｙ−ｔｏ−ｓｅｎｄ）フレームを含み、応答は送信可能（ｃｌｅａｒ−ｔｏ−ｓｅｎｄ）フレームを含み、第１の物理層モジュールおよび第２の物理層モジュールを介して送信可能（ｃｌｅａｒ−ｔｏ−ｓｅｎｄ）フレームを送信する。
【０２２８】
８５６において、第２の物理層モジュールが応答を送信する前に第１の物理層モジュールから応答を送信し、第１の物理層モジュールが応答を送信した後に第２の物理層モジュールから応答を送信する。または、第１の物理層モジュールが応答を送信する前に第２の物理層モジュールから応答を送信し、第２の物理層モジュールが応答を送信した後に第１の物理層モジュールから応答を送信する。
【０２２９】
８５８において、応答はハイブリッドパケットを含む。ハイブリッドパケットは、（ｉ）第１のデータレートで生成される第１のプリアンブル、（ｉｉ）第２のデータレートで生成される第２のプリアンブル、および、（ｉｉｉ）第２のデータレートで生成されるペイロードを含み、第１のプリアンブルは、データをアクセスポイントに送信するべく第１のクライアントステーションのためにチャネルが確保されている期間を含む。
【０２３０】
８６０において、応答は、ハイブリッドパケットを含む。ハイブリッドパケットは、（ｉ）第２のデータレートで生成される第１のプリアンブル、（ｉｉ）第１のデータレートで生成される第２のプリアンブル、および（ｉｉｉ）第１のデータレートで生成されるペイロードを含み、第１のプリアンブルは、データをアクセスポイントに送信するべくチャネルが第１のクライアントステーションのために確保されている期間を含む。
【０２３１】
８６２において、応答は、第１のパケットを含み、その後にギャップおよび第２のパケットが続く。第１のパケットは第１のデータレートで生成され、第２のパケットは第２のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【０２３２】
８６４において、応答は、第１のパケットを含み、その後にギャップおよび第２のパケットが続く。第１のパケットは第２のデータレートで生成され、第２のパケットは第１のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【０２３３】
８６６において、第１のクライアントステーションが応答を受信することに応じて、第１の物理層モジュールは、第２のクライアントステーションから干渉されることなく、第１のクライアントステーションからデータを受信する。
【０２３４】
図１５Ａおよび図１５Ｂを参照すると、本開示に係る共存問題を解決するための方法９００を図示している。９０２において、アクセスポイントの第１の物理層モジュールを用いてチャネルの第１のサブチャネルおよび第２のサブチャネルを介して第１のデータレートで通信を行う。アクセスポイントの第２の物理層モジュールを用いて（ｉ）第１のサブチャネルまたは（ｉｉ）第２のサブチャネルを介して第２のデータレートで通信を行う。第１のデータレートは第２のデータレートよりも高い。第２の物理層モジュールで、第１のクライアントステーションからアクセスポイントへと第２のデータレートでデータを送信するべく第１のサブチャネルまたは第２のサブチャネルを確保するよう求める要求を、第１のクライアントステーションから受信する。当該要求は、第１のデータレートでチャネルを介してアクセスポイントにデータを送信するよう構成されている第２のクライアントステーションでは処理されない。第２の物理層モジュールが第１のクライアントステーションから要求を受信することに応じて、（ｉ）第１のクライアントステーションから第１のサブチャネルまたは第２のサブチャネルを介して第２のデータレートでデータを送信させ、且つ（ｉｉ）第１のクライアントステーションが第２のデータレートで第１のサブチャネルまたは第２のサブチャネルを介してアクセスポイントへデータを送信している間に、第２のクライアントステーションが、チャネルを介して第１のデータレートでデータを送信しないようにするための応答をアクセスポイントから送信する。
【０２３５】
９０４において、要求は、送信要求（ｒｅａｄｙ  ｔｏ  ｓｅｎｄ）フレームを含み、応答は、送信可能（ｃｌｅａｒ  ｔｏ  ｓｅｎｄ）フレームを含む。第１の物理層モジュールおよび第２の物理層モジュールは、送信可能（ｃｌｅａｒ  ｔｏ  ｓｅｎｄ）フレームを送信する。
【０２３６】
９０６において、第１の物理層モジュールから、第２の物理層モジュールが応答を送信する前に応答を送信し、第２の物理層モジュールから、第１の物理層モジュールが応答を送信した後に応答を送信する。または、第２の物理層モジュールから、第１の物理層モジュールが応答を送信する前に応答を送信し、第１の物理層モジュールから、第２の物理層モジュールが応答を送信した後に応答を送信する。
【０２３７】
９０８において、応答は、ハイブリッドパケットを含む。ハイブリッドパケットは、（ｉ）第１のデータレートで生成される第１のプリアンブル、（ｉｉ）第２のデータレートで生成される第２のプリアンブル、および、（ｉｉｉ）第２のデータレートで生成されるペイロードを含み、第１のプリアンブルは、データをアクセスポイントに送信するべく第１のクライアントステーションのためにチャネルが確保されている期間を含む。
【０２３８】
９１０において、応答は、ハイブリッドパケットを含む。ハイブリッドパケットは、（ｉ）第２のデータレートで生成される第１のプリアンブル、（ｉｉ）第１のデータレートで生成される第２のプリアンブル、および（ｉｉｉ）第１のデータレートで生成されるペイロードを含み、第１のプリアンブルは、データをアクセスポイントに送信するべくチャネルが第１のクライアントステーションのために確保されている期間を含む。
【０２３９】
９１２において、応答は、第１のパケットを含み、その後にギャップおよび第２のパケットが続く。第１のパケットは第１のデータレートで生成され、第２のパケットは第２のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【０２４０】
９１４において、応答は、第１のパケットを含み、その後にギャップおよび第２のパケットが続く。第１のパケットは第２のデータレートで生成され、第２のパケットは第１のデータレートで生成される。第２のパケットは、（ｉ）ペイロードを含んでおらず、（ｉｉ）プリアンブルを含み、プリアンブルは、データをアクセスポイントに送信するべくチャネルが第１のクライアントステーションのために確保されている期間を含む。
【０２４１】
９１６において、第１のクライアントステーションが応答を受信することに応じて、第２の物理層モジュールは、第２のクライアントステーションからの干渉を発生させることなく、第１のクライアントステーションからデータを受信する。
【０２４２】
図１６を参照すると、本開示に係る共存問題を解決するための方法９５０を図示している。９５２において、一のチャネルの第１のサブチャネルおよび第２のサブチャネルを介して、第１のクライアントステーションの第１の物理層モジュールを用いて、第１のデータレートで通信する。（ｉ）第１のサブチャネルまたは（ｉｉ）第２のサブチャネルを介して、第１のクライアントステーションの第２の物理層モジュールを用いて、第２のデータレートで通信する。第１のデータレートは第２のデータレートよりも高い。第１のクライアントステーションは、第１のデータレートで通信可能な第２のクライアントステーションに対応付けられているアクセスポイントと通信する。第１のクライアントステーションから、（ｉ）第２のデータレートでデータを送信するために第１のサブチャネルまたは第２のサブチャネルを確保するよう求める要求、または、第１のデータレートでデータを送信するためにチャネルを確保するよう求める要求をアクセスポイントに、および、（ｉｉ）第２のクライアントステーションからの干渉を発生させることなくデータをアクセスポイントに、（ｉ）第２の物理層モジュールのみ、（ｉｉ）第１の物理層モジュールおよび第２の物理層モジュール、（ｉｉｉ）ギャップおよび第２のパケットが後に続く第１のパケットの送信、および（ｉｖ）ギャップおよび第１のパケットが後に続く第２のパケットの送信のうち１つを用いて、送信する。尚、第１のパケットは、第１のデータレートで生成され、ペイロードを含んでおらず、第２のパケットは、第２のデータレートで生成され、ペイロードを含んでいる。
【０２４３】
９５４において、（ｉ）チャネルを介して第１の物理層モジュールを用いて、または、第１のサブチャネルまたは第２のサブチャネルを介して第２の物理層モジュールを用いて、第１のクライアントステーションからデータを送信させるべく、そして、（ｉｉ）第１のクライアントステーションがアクセスポイントにデータを送信している間、チャネルを介して第２のクライアントステーションがデータを送信しないようにさせるべく、アクセスポイントから応答を送信する。
【０２４４】
９５６において、アクセスポイントの第３の物理層モジュールを用いて、第１のサブチャネルおよび第２のサブチャネルを介して第１のデータレートで通信する。アクセスポイントの第４の物理層モジュールを用いて、（ｉ）第１のサブチャネルまたは（ｉｉ）第２のサブチャネルを介して、第２のデータレートで通信する。（ｉ）第４の物理層モジュールのみ、（ｉｉ）第３の物理層モジュールおよび第４の物理層モジュール、（ｉｉｉ）ギャップおよび第４のパケットが後に続く第３のパケットの送信、および（ｉｖ）ギャップおよび第３のパケットが後に続く第４のパケットの送信のうち１つを用いてアクセスポイントから応答を送信する。第３のパケットは、第１のデータレートで生成され、ペイロードを含まないがプリアンブルを含む。プリアンブルは、データをアクセスポイントに送信するべくチャネルが第１のクライアントステーションのために確保されている期間を含み、第４のパケットは、第２のデータレートで生成され、ペイロードを含む。
【０２４５】
図１７Ａ、図１７Ｂおよび図１７Ｃを参照すると、本開示に係る機能が異なる複数のデバイスの共存を実現するための方法１０００を図示している。１００２において、物理層モジュールを用いてチャネルを介して第１のデータレートで通信する。尚、チャネルは、（ｉ）第１のサブチャネルおよび（ｉｉ）第２のサブチャネルを含む。物理層モジュールを用いて、（ｉ）第１のサブチャネルおよび（ｉｉ）第２のサブチャネルを介して、第１のデータレートで送信される第１のプリアンブルを含む第１のパケットを受信する。物理層モジュールを用いて、（ｉ）第１のサブチャネルまたは（ｉｉ）第２のサブチャネルを介して第２のデータレートで送信される第２のプリアンブルを含む第２のパケットを受信する。第２のデータレートは、第１のデータレートより低い。（ｉ）第１のデータレートで送信される第１のプリアンブルおよび（ｉｉ）第２のデータレートで送信される第２のプリアンブルの少なくとも一部分を処理する。
【０２４６】
１００４において、（ｉ）第１のサブチャネルまたは（ｉｉ）第２のサブチャネルを介して送信される第２のプリアンブルの少なくとも一部分を検出することに応じて、チャネルがビジー状態であると決定する。
【０２４７】
１００６において、チャネルにおけるエネルギーレベルを検出し、エネルギーレベルが所定のしきい値以上であることに応じて、チャネルがビジー状態であることを決定する。
【０２４８】
１００８において、第１のプリアンブルは、（ｉ）第１の定期性を持つ第１のショートトレーニングフィールドおよび（ｉｉ）第１の残余部分を含み、第２のプリアンブルは、（ｉ）第２の定期性を持つ第２のショートトレーニングフィールドおよび（ｉｉ）第２の残余部分を含み、第２の定期性は、第１の定期性を１以上の整数で除算した結果に等しく、第１の残余部分は、第２の残余部分とは異なる。
【０２４９】
１０１０において、第１のショートトレーニングフィールドおよび第２のショートトレーニングフィールドはそれぞれ、（ｉ）第１のデータレートで送信される第１のプリアンブルの処理、および、（ｉｉ）第２のデータレートで送信される第２のプリアンブルの少なくとも一部分の処理をアクティブ化する。
【０２５０】
１０１２において、第２の残余部分は信号フィールドを含み、信号フィールドを処理し、信号フィールドの処理に基づいて第２のパケットの期間を決定し、当該期間にわたってチャネルへのアクセスを保留する。
【０２５１】
１０１４において、第２の残余部分は、（ｉ）ロングトレーニングフィールド、および、（ｉｉ）第１の信号フィールドを含み、（ｉ）第２のショートトレーニングフィールドおよび（ｉｉ）ロングトレーニングフィールドを処理する。第１の信号フィールドを処理できないことに応じて、（ｉ）第１のプリアンブルの第２の信号フィールドを検出するまで、（ｉｉ）ネットワークアロケーションベクトルを設定するためのフレームシーケンスを検出するまで、または、（ｉｉｉ）第２のパケットまたは単一の送信シーケンスの期間に対応する所定の期間の終了まで、チャネルへのアクセスを保留する。
【０２５２】
１０１６において、第１の所定の期間にわたってチャネルへのアクセスを保留し、第１の所定の期間の終了時にチャネルにアクセスし、第１の所定の期間の終了時にチャネルへのアクセスを得た後に、第２の所定の期間にわたってチャネルにアクセスする。第１の所定の期間および第２の所定の期間は、第２のパケットを送信するデバイスに割り当てられている所定のデューティーサイクルに基づいて決まる。当該デバイスは、第１の所定の期間にわたってチャネルにアクセスし、第２の所定の期間においてチャネルにアクセスしない。
【０２５３】
１０１８において、第２のパケットのエネルギーレベルを検出し、エネルギーレベルが所定のしきい値以上であることに応じてチャネルへのアクセスを保留する。
【０２５４】
１０２０において、第２のパケットのエネルギーレベルを検出し、エネルギーレベルが、（ｉ）所定のエネルギー検出しきい値以上、および、（ｉｉ）プリアンブル検出しきい値以下であることに応じて、チャネルへのアクセスを保留する。
【０２５５】
１０２２において、所定の期間にわたってチャネルへのアクセスを保留する。これは、当該所定の期間の終了前に、（ｉ）第１のパケットもしくは第２のパケットの期間が第１のプリアンブルもしくは第２のプリアンブルの信号フィールドから検出されない場合、または、（ｉｉ）ネットワークアロケーションベクトル期間が検出されない場合の処理である。
【０２５６】
１０２４において、第２のプリアンブルは、ショートトレーニングフィールドを含み、（ｉ）第１のデータレートでチャネルを介して第１のプリアンブルを送信し、および、（ｉｉ）第２のデータレートで第１のサブチャネルまたは第２のサブチャネルを介して第２のプリアンブルを送信するデバイスによって送信され、ショートトレーニングフィールドの長さは、デバイスからの第２のデータレートでの送信が複数回失敗したことに応じて増加する。第２のパケットのエネルギーレベルを検出し、ショートトレーニングフィールドの長さが増大したと検出することに応じて、または、（ｉ）エネルギーレベルが所定のしきい値以上であり、且つ、（ｉｉ）ショートトレーニングフィールドの長さが増大したと検出されないことに応じて、チャネルへのアクセスを保留する。
【０２５７】
１０２６において、第２のパケットのエネルギーレベルを検出し、（ｉ）エネルギーレベルが所定のしきい値以上であること、および、（ｉｉ）第２のプリアンブルが検出されないことに応じて、チャネルへのアクセスを保留する。エネルギーレベルに基づいてチャネルへのアクセスを得た後に、（ｉ）第１の所定の期間にわたってチャネルにアクセスし、（ｉｉ）第１の所定の期間の終了後にチャネルへのアクセスを停止し、および、（ｉｉｉ）第１の所定の期間の終了後に第２の所定の期間にわたってチャネルにアクセスしない。第１の所定の期間および第２の所定の期間は、所定のデューティーサイクルに基づいて決まる。
【０２５８】
図１８を参照すると、本開示に応じた、ミッドアンブルを用いて無線ネットワークにおいて通常レート物理層および低レート物理層の共存を実現するための方法１０５０を図示している。１０５２において、チャネルを介して送信されるパケットのミッドアンブルを検出する。パケットは、（ｉ）プリアンブルと、（ｉｉ）ミッドアンブルと、（ｉｉｉ）複数のデータフィールドとを含み、プリアンブルは、（ｉ）第１のショートトレーニングフィールドと、（ｉｉ）第１のロングトレーニングフィールドと、（ｉｉｉ）信号フィールドとを含む。ミッドアンブルは、（ｉ）第２のショートトレーニングフィールドと、（ｉｉ）第２のロングトレーニングフィールドとを含む。ミッドアンブルは、プリアンブルの後に位置しており、データフィールドのうち２以上の間に位置している。１０５４において、パケットにミッドアンブルがあると検出することに応じて、チャネルがビジー状態であると判断する。
【０２５９】
１０５６において、パケットにおいて所定数のデータシンボル毎にミッドアンブルが続いて存在することに応じて、（ｉ）所定数のデータシンボルまたは（ｉｉ）所定数のデータシンボルの倍数の期間にわたって省電力モードでクライアントステーションを動作させ、当該期間の後にクライアントステーションをウェイク状態にする。クライアントステーションがウェイク状態になった後、パケット内にミッドアンブルを検出することに応じてチャネルがビジー状態であると判断する。
【０２６０】
１０５８において、パケットにおいてミッドアンブルが検出されないことに応じて、プリアンブルを検出することに応じてチャネルがビジー状態であるか否かを判断する。
【０２６１】
１０６０において、物理層モジュールを用いて、チャネルの（ｉ）第１のサブチャネルまたは（ｉｉ）第２のサブチャネルを介して第１のデータレートで通信する。（ｉ）第１のサブチャネルおよび（ｉｉ）第２のサブチャネルを介して第２のデータレートでミッドアンブルが送信されることに応じて、（ｉ）第１のサブチャネルまたは（ｉｉ）第２のサブチャネルにおいてミッドアンブルを検出する。第２のデータレートは、第１のデータレートよりも高い。（ｉ）第１のサブチャネルまたは（ｉｉ）第２のサブチャネルにおいてミッドアンブルが検出されることに応じて、第２のデータレートにおける送信がチャネル内で進行中であると判断し、チャネルにアクセスしないと判断する。
【０２６２】
上記の説明は、本質的に例示に過ぎず、本開示およびその応用または利用を限定することを意図したものでは決してない。本開示の広義の教示内容は、さまざまな形態で実現可能である。このため、本開示には具体的な例が含まれているが、本開示の真の範囲は開示した例に限定されるべきではない。これは、図面、明細書および以下に記載する請求項を参照すれば、他の変形例が明らかになるためである。分かり易いように、同様の構成要素を特定する場合には複数の図面にわたって同じ参照番号を用いる。本明細書で用いる場合、「Ａ、ＢおよびＣのうち少なくとも１つ」という表現は、非排他的論理ＯＲを用いて、論理演算（Ａ  ｏｒ  Ｂ  ｏｒ  Ｃ）を意味するものと解釈すべきである。方法を構成する１以上の段階は本開示の原理を変更することなく別の順序で（または同時に）実行し得るものと理解されたい。
【０２６３】
本明細書で用いる場合、「モジュール」という用語は、特定用途向け集積回路（ＡＳＩＣ）、電子回路、組み合わせ論理回路、フィールドプログラマブルゲートアレイ（ＦＰＧＡ）、コードを実行するプロセッサ（共有型、占有型またはグループ型）、説明した機能を実現するその他の適切なハードウェア素子、または、上記の一部または全てをシステムオンチップ構成等で組み合わせたものの一部を意味するか、これらを含むことを意味するとしてよい。「モジュール」という用語は、プロセッサが実行するコードを格納するメモリ（共有型、専用型またはグループ型）を含むとしてよい。
【０２６４】
「コード」という用語は、上述したように、ソフトウェア、ファームウェアおよび／またはマイクロコードを含むとしてよく、プログラム、ルーチン、関数、クラスおよび／またはオブジェクトを意味するとしてよい。「共有」という用語は、上述したように、複数のモジュールのコードの一部または全てが一の（共有型）プロセッサを用いて実行されることを意味する。また、複数のモジュールからのコードの一部または全ては、一の（共有型）メモリに格納されるとしてよい。「グループ」という用語は、上述したように、一のモジュールからのコードの一部または全てが一のグループのプロセッサを用いて実行され得ることを意味する。また、一のモジュールからのコードの一部または全ては、一のグループのメモリを用いて格納されるとしてよい。
【０２６５】
本明細書で説明した装置および方法は、１以上のプロセッサが実行する１以上のコンピュータプログラムで実現されるとしてよい。コンピュータプログラムは、非一時的有形コンピュータ読出可能媒体で格納されているプロセッサ実行可能命令を含む。コンピュータプログラムはさらに、格納されているデータを含むとしてよい。非一時的な有形コンピュータ可読媒体の例は、これらに限定されないが、不揮発性メモリ、磁気ストレージおよび光ストレージである。
【図１】
0006053197.tif 000002
【図２Ａ】
0006053197.tif 000003
【図２Ｂ】
0006053197.tif 000004
【図３】
0006053197.tif 000005
【図４】
0006053197.tif 000006
【図５】
0006053197.tif 000007
【図６】
0006053197.tif 000008
【図７Ａ】
0006053197.tif 000009
【図７Ｂ】
0006053197.tif 000010
【図８】
0006053197.tif 000011
【図９Ａ】
0006053197.tif 000012
【図９Ｂ】
0006053197.tif 000013
【図１０】
0006053197.tif 000014
【図１１】
0006053197.tif 000015
【図１２】
0006053197.tif 000016
【図１３Ａ】
0006053197.tif 000017
【図１３Ｂ】
0006053197.tif 000018
【図１４Ａ】
0006053197.tif 000019
【図１４Ｂ】
0006053197.tif 000020
【図１５Ａ】
0006053197.tif 000021
【図１５Ｂ】
0006053197.tif 000022
【図１６】
0006053197.tif 000023
【図１７Ａ】
0006053197.tif 000024
【図１７Ｂ】
0006053197.tif 000025
【図１７Ｃ】
0006053197.tif 000026
【図１８】
0006053197.tif 000027